(57)【要約】  複数のユーザ装置と共有チャネルを用いて通信を行う基地局装置に、共有チャネルのための無線リソースを割り当てる優先順位を示す優先度にしたがって、無線リソースを割り当てるユーザ装置を選択する選択手段と、選択されたユーザ装置に対する、共有チャネルの通信を指示する制御チャネルの送信電力及び制御チャネルリソースを決定するリソース決定手段とを備え、リソース決定手段は、選択されたユーザ装置に関する制御チャネルの送信電力の和が所定の第１の閾値を超える場合に、または、選択されたユーザ装置に関する制御チャネルの制御リソースの和が所定の第２の閾値を超える場合に、選択されたユーザ装置の内の一部のユーザ装置に対して前記制御チャネルを送信することにより達成される。
2008105316.tif 000002
【特許請求の範囲】
【請求項１】
複数のユーザ装置と共有チャネルを用いて通信を行う基地局装置であって：
前記共有チャネルのための無線リソースを割り当てる優先順位を示す優先度にしたがって、無線リソースを割り当てるユーザ装置を選択する選択手段；
選択されたユーザ装置に対する、前記共有チャネルの通信を指示する制御チャネルの送信電力及び制御チャネルリソースを決定するリソース決定手段；
を備え、
前記リソース決定手段は、選択されたユーザ装置に関する制御チャネルの送信電力の和が所定の第１の閾値を超える場合に、または、選択されたユーザ装置に関する制御チャネルの制御リソースの和が所定の第２の閾値を超える場合に、前記選択されたユーザ装置の内の一部のユーザ装置に対して前記制御チャネルを送信することを特徴とする基地局装置。
【請求項２】
請求項１に記載の基地局装置において：
前記リソース決定手段は、再送データを有するユーザ装置に対して優先的に前記制御チャネルを送信することを特徴とする基地局装置。
【請求項３】
請求項１に記載の基地局装置において：
前記リソース決定手段は、優先度の高いデータを有するユーザ装置に対して優先的に前記制御チャネルを送信することを特徴とする基地局装置。
【請求項４】
請求項１に記載の基地局装置において：
前記リソース決定手段は、共通チャネルのための制御チャネルを優先的に送信することを特徴とする基地局装置。
【請求項５】
請求項１に記載の基地局装置において：
前記リソース決定手段は、選択されたユーザ装置に関する制御チャネルの送信電力の和が所定の閾値１を超える場合に、前記制御チャネルの送信電力の和が所定の第１の閾値と同じになるように、前記制御チャネルの送信電力を小さくすることを特徴とする基地局装置。
【請求項６】
請求項５に記載の基地局装置において：
前記リソース決定手段は、下りリンクのリファレンス信号、再送データを有するユーザ装置に送信する制御チャネル、優先度の高いデータを有するユーザ装置に送信する制御チャネル、共通チャネルのための制御チャネルの少なくとも１つの送信電力を小さくしないことを特徴とする基地局装置。
【請求項７】
複数のユーザ装置と上りリンクと下りリンクにおいて共有チャネルを用いて通信を行い、かつ、下りリンクにおいて、上記上りリンクと下りリンクの共有チャネルのための制御信号を送信する基地局装置であって：
前記制御信号の送信電力を算出する送信電力算出手段；
前記制御信号のリソース要素数を算出するリソース要素数算出手段；
前記送信電力と前記リソース要素数に基づいて、前記制御信号のためのOFDMシンボル数を決定するOFDMシンボル数決定手段；
を備えることを特徴とする基地局装置。
【請求項８】
請求項５に記載の基地局装置において：
前記制御信号は、上りリンクの共有チャネルを送信するユーザ装置の識別情報と前記共有チャネルの送信フォーマットとを通知する信号、下りリンクの共有チャネルを受信するユーザ装置の識別情報と前記共有チャネルの送信フォーマットとを通知する信号、前記上りリンクの共有チャネルに対する送達確認情報、上りリンクの送信電力制御のための制御ビット、前記制御信号のフォーマットを通知する信号の少なくとも１つを含むことを特徴とする基地局装置。
【請求項９】
請求項５に記載の基地局装置において：
前記OFDMシンボル数決定手段は、
２サブフレーム以上の制御周期で、前記制御信号のためのOFDMシンボル数を決定することを特徴とする基地局装置。
【請求項１０】
請求項９に記載の基地局装置において：
前記ＯＦＤＭシンボル数決定手段は、前記制御周期における、各サブフレームにおける前記ＯＦＤＭシンボル数の平均値または最大値を、前記制御信号のためのＯＦＤＭシンボル数とすることを特徴とする基地局装置。
【請求項１１】
請求項９に記載の基地局装置において：
前記ＯＦＤＭシンボル数決定手段は、前記制御周期に関係なく、制御チャネルのための送信電力またはリソース要素数が不足した場合に、即座に、前記ＯＦＤＭシンボル数を大きくすることを特徴とする基地局装置。
【請求項１２】
請求項９に記載の基地局装置において：
前記ＯＦＤＭシンボル数決定手段は、共通チャネルが送信されるサブフレームにおいて、前記制御周期に関係なく、前記ＯＦＤＭシンボル数を一時的に大きくすることを特徴とする基地局装置。
【請求項１３】
複数のユーザ装置と共有チャネルを用いて通信を行う基地局装置における通信制御方法であって：
前記共有チャネルのための無線リソースを割り当てる優先順位を示す優先度にしたがって、無線リソースを割り当てるユーザ装置を選択するステップ；
選択されたユーザ装置に対する、前記共有チャネルの通信を指示する制御チャネルの送信電力及び制御チャネルリソースを決定するステップ；
を有し、
無線リソースを割り当てる優先順位を示す優先度にしたがって、無線リソースを割り当てるユーザ装置を選択する選択ステップ；
選択されたユーザ装置に対する制御チャネルの送信電力を制御する送信電力制御ステップ；
を有し、
前記リソース決定手段は、選択されたユーザ装置に関する制御チャネルの送信電力の和が所定の第１の閾値を超える場合に、または、選択されたユーザ装置に関する制御チャネルの制御リソースの和が所定の第２の閾値を超える場合に、前記選択されたユーザ装置の内の一部のユーザ装置に対して前記制御チャネルを送信することを特徴とする通信制御方法。
【発明の詳細な説明】
【技術分野】
【０００１】
本発明は、下りリンクにおいて直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を適用する移動通信システムに関し、特に基地局装置及び通信制御方法に関する。
【背景技術】
【０００２】
Ｗ−ＣＤＭＡやＨＳＤＰＡの後継となる通信方式、すなわちロングタームエボリューション（ＬＴＥ：  Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはＯＦＤＭ、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。【０００３】
ＯＦＤＭは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。【０００５】
ＬＴＥでは、上りリンク、下りリンクともに１つないし２つ以上の物理チャネルを複数の移動局（ユーザ装置）で共有して通信を行うシステムである。上記複数の移動局で共有されるチャネルは、一般に共有チャネルと呼ばれ、ＬＴＥにおいては、上りリンクにおいてはＰｈｙｓｉｃａｌ  Ｕｐｌｉｎｋ  Ｓｈａｒｅｄ  Ｃｈａｎｎｅｌ  （ＰＵＳＣＨ）であり、下りリンクにおいてはＰｈｙｓｉｃａｌ  Ｄｏｗｎｌｉｎｋ  Ｓｈａｒｅｄ  Ｃｈａｎｎｅｌ（ＰＤＳＣＨ）である。また、上記ＰＵＳＣＨおよびＰＤＳＣＨにマッピングされるトランスポートチャネルは、それぞれ、Ｕｐｌｉｎｋ−Ｓｈａｒｅｄ  Ｃｈａｎｎｅｌ（ＵＬ−ＳＣＨ）およびＤｏｗｎｌｉｎｋ−Ｓｈａｒｅｄ  Ｃｈａｎｎｅｌ（ＤＬ−ＳＣＨ）である。【０００６】
そして、上述したような共有チャネルを用いた通信システムにおいては、サブフレーム毎に、どの移動局に対して上記共有チャネルを割り当てるかのシグナリングする必要があり、上記シグナリングのために用いられる制御チャネルは、ＬＴＥでは、Ｐｈｙｓｉｃａｌ
Ｄｏｗｎｌｉｎｋ Ｃｏｎｔｒｏｌ Ｃｈａｎｎｅｌ (ＰＤＣＣＨ)、または、Ｄｏｗｎｌｉｎｋ  Ｌ１／Ｌ２  Ｃｏｎｔｒｏｌ  Ｃｈａｎｎｅｌ（ＤＬ  Ｌ１／Ｌ２  Ｃｏｎｔｒｏｌ  Ｃｈａｎｎｅｌ）と呼ばれる。上記ＰＤＣＣＨの情報には、例えば、ＤＬ  Ｌ１／Ｌ２  Ｃｏｎｔｒｏｌ  Ｃｈａｎｎｅｌ  Ｆｏｒｍａｔ  Ｉｎｄｉｃａｔｏｒ、ＤＬ  Ｓｃｈｅｄｕｌｉｎｇ  Ｉｎｆｏｒｍａｔｉｏｎ、Ａｃｋｎｏｗｌｅｄｇｅｍｅｎｔ  ｉｎｆｏｒｍａｔｉｏｎ（ＵＬ  ＡＣＫ／ＮＡＣＫ）、Ｕｐｌｉｎｋ  Ｓｃｈｅｄｕｌｉｎｇ  Ｇｒａｎｔ、Ｏｖｅｒｌｏａｄ  Ｉｎｄｉｃａｔｏｒ、Ｔｒａｎｓｍｉｓｓｉｏｎ  Ｐｏｗｅｒ  Ｃｏｎｔｒｏｌ  Ｃｏｍｍａｎｄ  Ｂｉｔ（ＴＰＣ  ｂｉｔ）が含まれる（非特許文献２）。上述したＤＬ  L1/Ｌ2  Ｃｏｎｔｒｏｌ  Ｆｏｒｍａｔ  Ｉｎｄｉｃａｔｏｒは、Ｐｈｙｓｉｃａｌ  Ｃｏｎｔｒｏｌ  Ｆｏｒｍａｔ  Ｉｎｄｉｃａｔｏｒ  Ｃｈａｎｎｅｌ(ＰＣＦＩＣＨ)とも呼ばれ、また、上記ＵＬ  ＡＣＫ/ＮＡＣＫは、Ｐｈｙｓｉｃａｌ  Ｈｙｂｒｉｄ  ＡＲＱ  Ｉｎｄｉｃａｔｏｒ  Ｃｈａｎｎｅｌ(ＰＨＩＣＨ)とも呼ばれる。上記ＰＣＦＩＣＨやＰＨＩＣＨは、上記ＰＤＣＣＨに含まれるのではなく、上記ＰＤＣＣＨとは並列の関係になる、異なる物理チャネルとして定義されてもよい。【０００７】
また、上記ＤＬ  Ｓｃｈｅｄｕｌｉｎｇ  Ｉｎｆｏｒｍａｔｉｏｎには、例えば、下りリンクのリソースブロック（Ｒｅｓｏｕｒｃｅ  Ｂｌｏｃｋ）の割り当て情報、ユーザ装置（ＵＥ）のＩＤ、ストリームの数、プリコーディングベクトル（Ｐｒｅｃｏｄｉｎｇ  Ｖｅｃｔｏｒ）に関する情報、データサイズ、変調方式、ＨＡＲＱに関する情報が含まれる。上記ＤＬ  Ｓｃｈｅｄｕｌｉｎｇ  Ｉｎｆｏｒｍａｔｉｏｎは、ＤＬ  Ａｓｓｉｇｎｍｅｎｔ  ＩｎｆｏｒｍａｔｉｏｎやＤＬ  Ｓｃｈｅｄｕｌｉｎｇ  Ｇｒａｎｔと呼ばれてもよい。また、上記ＵＬ  Ｓｃｈｅｄｕｌｉｎｇ  Ｇｒａｎｔには、例えば、上りリンクのＲｅｓｏｕｒｃｅ  Ｂｌｏｃｋの割り当て情報、ユーザ装置（ＵＥ）のＩＤ、データサイズ、変調方式、上りリンクの送信電力情報、Ｄｅｍｏｄｕｌａｔｉｏｎ  Ｒｅｆｅｒｅｎｃｅ  Ｓｉｇｎａｌの情報が含まれる。【０００８】
上述したＰＤＣＣＨは、１サブフレーム内の先頭のＬシンボル（Ｌ＝１、２、３）を用いて送信される（非特許文献３）。そして、上記先頭のＬシンボルのＰＤＣＣＨの中に、上述したＰＤＣＣＨの各情報、すなわち、ＤＬ  Ｌ１／Ｌ２  Ｃｏｎｔｒｏｌ  Ｃｈａｎｎｅｌ  Ｆｏｒｍａｔ  Ｉｎｄｉｃａｔｏｒ、Ｄｏｗｎｌｉｎｋ  Ｓｃｈｅｄｕｌｉｎｇ  Ｉｎｆｏｒｍａｔｉｏｎ、Ａｃｋｎｏｗｌｅｄｇｅｍｅｎｔ  ｉｎｆｏｒｍａｔｉｏｎ（ＵＬ  ＡＣＫ／ＮＡＣＫ）、Ｕｐｌｉｎｋ  Ｓｃｈｅｄｕｌｉｎｇ  Ｇｒａｎｔ、Ｏｖｅｒｌｏａｄ  Ｉｎｄｉｃａｔｏｒ、Ｔｒａｎｓｍｉｓｓｉｏｎ  Ｐｏｗｅｒ  Ｃｏｎｔｒｏｌ  Ｃｏｍｍａｎｄ  Ｂｉｔ（ＴＰＣ  ｂｉｔ）が多重される。ここで、上記ＰＤＣＣＨの各情報を効率良く多重するために、上記ＰＤＣＣＨの各情報には、送信電力制御が適用される。
【非特許文献１】３ＧＰＰ  ＴＲ  ２５．８１４  （Ｖ７．０．０），  “Ｐｈｙｓｉｃａｌ  Ｌａｙｅｒ  Ａｓｐｅｃｔｓ  ｆｏｒ  Ｅｖｏｌｖｅｄ  ＵＴＲＡ，”  Ｊｕｎｅ  ２００６
【非特許文献２】Ｒ１−０７０１０３，  Ｄｏｗｎｌｉｎｋ  Ｌ１／Ｌ２  Ｃｏｎｔｒｏｌ  Ｓｉｇｎａｌｉｎｇ  Ｃｈａｎｎｅｌ  Ｓｔｒｕｃｔｕｒｅ：  Ｃｏｄｉｎｇ
【非特許文献３】３ＧＰＰ  ＴＳ  ３６．２１１  （ｖ  ０．３．１），  “Ｐｈｙｓｉｃａｌ  Ｃｈａｎｎｅｌｓ  ａｎｄ  Ｍｏｄｕｌａｔｉｏｎ，”  Ｆｅｂｒｕａｒｙ  ２００７
【非特許文献４】Ｒ１−０７０１０５，  ＡＣＫ／ＮＡＣＫ  Ｓｉｇｎａｌ  Ｓｔｒｕｃｔｕｒｅ  ｉｎ  Ｅ−ＵＴＲＡ  Ｄｏｗｎｌｉｎｋ，  Ｊａｎｕａｒｙ  ２００７
【発明の開示】
【発明が解決しようとする課題】
【０００９】
上述した、ＬＴＥにおける物理下りリンク制御チャネルＰＤＣＣＨにより送信される各情報、すなわち、ＤＬ  Ｌ１／Ｌ２  Ｃｏｎｔｒｏｌ  Ｃｈａｎｎｅｌ  Ｆｏｒｍａｔ  Ｉｎｄｉｃａｔｏｒ、Ｄｏｗｎｌｉｎｋ  Ｓｃｈｅｄｕｌｉｎｇ  Ｉｎｆｏｒｍａｔｉｏｎ、Ａｃｋｎｏｗｌｅｄｇｅｍｅｎｔ  ｉｎｆｏｒｍａｔｉｏｎ（ＵＬ  ＡＣＫ／ＮＡＣＫ）、Ｕｐｌｉｎｋ  Ｓｃｈｅｄｕｌｉｎｇ  Ｇｒａｎｔ、Ｏｖｅｒｌｏａｄ  Ｉｎｄｉｃａｔｏｒ、Ｔｒａｎｓｍｉｓｓｉｏｎ  Ｐｏｗｅｒ  Ｃｏｎｔｒｏｌ  Ｃｏｍｍａｎｄ  Ｂｉｔ（ＴＰＣ  ｂｉｔ）には、送信電力制御が適用される。尚、Ｄｏｗｎｌｉｎｋ  Ｓｃｈｅｄｕｌｉｎｇ  Ｉｎｆｏｒｍａｔｉｏｎは、下りリンクにおける当該サブフレームにおいて共有チャネルを用いて通信を行うユーザ装置の識別情報や上記共有チャネルの送信フォーマットに関する情報であり、Ｕｐｌｉｎｋ  Ｓｃｈｅｄｕｌｉｎｇ  Ｇｒａｎｔは、上りリンクにおける所定のサブフレームにおいて共有チャネルを用いて通信を行うユーザ装置の識別情報や上記共有チャネルの送信フォーマットに関する情報である。【００１０】
しかしながら、上述したＰＤＣＣＨにより送信される各情報の内、Ｄｏｗｎｌｉｎｋ  Ｓｃｈｅｄｕｌｉｎｇ  ＩｎｆｏｒｍａｔｉｏｎやＵｐｌｉｎｋ  Ｓｃｈｅｄｕｌｉｎｇ  Ｇｒａｎｔ、すなわち、当該サブフレームにおいて共有チャネルを用いて通信を行うユーザ装置の識別情報や上記共有チャネルの送信フォーマットに関する情報が誤った場合、上記共有チャネルの通信が行われなくなるため、通信品質が劣化する。例えば、上記送信電力制御により、当該サブフレームにおいて共有チャネルを用いて通信を行うユーザ装置の識別情報や上記共有チャネルの送信フォーマットに関する情報に割り当てられる送信電力を必要以上に小さい値に設定した場合、ユーザ装置は、当該サブフレームにおいて共有チャネルを用いて通信を行うユーザ装置の識別情報や上記共有チャネルの送信フォーマットに関する情報を正しく復号することができず、結果として、共有チャネルを用いた通信が行われない。【００１１】
言い換えれば、当該サブフレームにおいて共有チャネルを用いて通信を行うユーザ装置の識別情報や上記共有チャネルの送信フォーマットに関する情報の通信品質、例えば、誤り率を考慮して、前記送信電力制御を行う必要がある。【００１２】
そこで、本発明の目的は、サブフレームにおいて共有チャネルを用いて通信を行うユーザ装置の識別情報や上記共有チャネルの送信フォーマットに関する情報の送信電力制御を適切に行うことができる基地局装置及び通信制御方法を提供することにある。
【課題を解決するための手段】
【００１３】
上記課題を解決するため、本発明の基地局装置は、
複数のユーザ装置と共有チャネルを用いて通信を行う基地局装置であって：
前記共有チャネルのための無線リソースを割り当てる優先順位を示す優先度にしたがって、無線リソースを割り当てるユーザ装置を選択する選択手段；
選択されたユーザ装置に対する、前記共有チャネルの通信を指示する制御チャネルの送信電力及び制御チャネルリソースを決定するリソース決定手段；
を備え、
前記リソース決定手段は、選択されたユーザ装置に関する制御チャネルの送信電力の和が所定の第１の閾値を超える場合に、または、選択されたユーザ装置に関する制御チャネルの制御リソースの和が所定の第２の閾値を超える場合に、前記選択されたユーザ装置の内の一部のユーザ装置に対して前記制御チャネルを送信することを特徴の１つとする。【００１４】
本発明の他の基地局装置は、
複数のユーザ装置と上りリンクと下りリンクにおいて共有チャネルを用いて通信を行い、かつ、下りリンクにおいて、上記上りリンクと下りリンクの共有チャネルのための制御信号を送信する基地局装置であって：
前記制御信号の送信電力を算出する送信電力算出手段；
前記制御信号のリソース要素数を算出するリソース要素数算出手段；
前記送信電力と前記リソース要素数に基づいて、前記制御信号のためのOFDMシンボル数を決定するOFDMシンボル数決定手段；
を備えることを特徴の１つとする。【００１５】
本発明の通信制御方法は、
複数のユーザ装置と共有チャネルを用いて通信を行う基地局装置における通信制御方法であって：
前記共有チャネルのための無線リソースを割り当てる優先順位を示す優先度にしたがって、無線リソースを割り当てるユーザ装置を選択するステップ；
選択されたユーザ装置に対する、前記共有チャネルの通信を指示する制御チャネルの送信電力及び制御チャネルリソースを決定するステップ；
を有し、
無線リソースを割り当てる優先順位を示す優先度にしたがって、無線リソースを割り当てるユーザ装置を選択する選択ステップ；
選択されたユーザ装置に対する制御チャネルの送信電力を制御する送信電力制御ステップ；
を有し、
前記リソース決定手段は、選択されたユーザ装置に関する制御チャネルの送信電力の和が所定の第１の閾値を超える場合に、または、選択されたユーザ装置に関する制御チャネルの制御リソースの和が所定の第２の閾値を超える場合に、前記選択されたユーザ装置の内の一部のユーザ装置に対して前記制御チャネルを送信することを特徴の１つとする。
【発明の効果】
【００１６】
本発明の実施例によれば、サブフレームにおいて共有チャネルを用いて通信を行うユーザ装置の識別情報や上記共有チャネルの送信フォーマットに関する情報の送信電力制御を適切に行うことができる基地局装置及び通信制御方法を実現できる。
【図面の簡単な説明】
【００１７】
【図１】本発明の一実施形態に係る無線通信システムの構成を示すブロック図である。
【図２】サブフレーム構成を示す説明図である。
【図３】ＯＦＤＭシンボル＃１及び＃２におけるサブキャリアマッピングの一例を示す説明図である。
【図４】本発明の一実施形態に係る基地局装置を示す部分ブロック図である。
【図５】本発明の一実施形態に係る基地局装置のベースバンド信号処理部を示すブロック図である。
【図６】下りリンクＬ１／Ｌ２シンボルと、その集合ＧＬ１Ｌ２との関係を示す説明図である。
【図７】制御チャネル用ブロックと、制御チャネル用ブロックの番号を示す説明図である。
【図８】物理下りリンク制御チャネルに用いられるOFDMシンボル数の値の決定方法を示すフロー図である。
【図９】物理下りリンク制御チャネルに用いられるOFDMシンボル数の値の決定方法を示す説明図である。
【図１０】物理下りリンク制御チャネルに用いられるOFDMシンボル数の値の決定方法を示す説明図である。
【図１１】物理下りリンク制御チャネルに用いられるOFDMシンボル数の値の決定方法を示す説明図である。
【符号の説明】
【００１８】
５０  セル
１００１、１００２、１００３、１００ｎ  ユーザ装置
２００  基地局装置
２０２  送受信アンテナ
２０４  アンプ部
２０６  送受信部
２０８  ベースバンド信号処理部
２１０  呼処理部
２１２  伝送路インターフェース
２０８１  レイヤー１処理部
２０８２  ＭＡＣ処理部
２０８３  ＲＬＣ処理部
２０８４  ＤＬ送信電力決定部
３００  アクセスゲートウェイ装置
４００  コアネットワーク
【発明を実施するための最良の形態】
【００１９】
次に、本発明を実施するための最良の形態を、以下の実施例に基づき図面を参照しつつ説明する。
なお、実施例を説明するための全図において、同一機能を有するものは同一符号を用い、繰り返しの説明は省略する。【００２０】
本発明の実施例に係る基地局装置が適用される無線通信システムについて、図１を参照して説明する。【００２１】
無線通信システム１０００は、例えばＥｖｏｌｖｅｄ  ＵＴＲＡ  ａｎｄ  ＵＴＲＡＮ（別名：ＬＴＥ（Ｌｏｎｇ  Ｔｅｒｍ  Ｅｖｏｌｕｔｉｏｎ），或いは，Ｓｕｐｅｒ  ３Ｇ）が適用されるシステムであり、基地局装置（ｅＮＢ：  ｅＮｏｄｅ  Ｂ）２００と複数のユーザ装置（ＵＥ：  Ｕｓｅｒ  Ｅｑｕｉｐｍｅｎｔ）１００ｎ（１００１、１００２、１００３、・・・１００ｎ、ｎはｎ＞０の整数）とを備える。基地局装置２００は、上位局、例えばアクセスゲートウェイ装置３００と接続され、アクセスゲートウェイ装置３００は、コアネットワーク４００と接続される。ここで、ユーザ装置１００ｎはセル５０において基地局装置２００とＥｖｏｌｖｅｄ  ＵＴＲＡ  ａｎｄ  ＵＴＲＡＮにより通信を行う。【００２２】
各ユーザ装置（１００１、１００２、１００３、・・・１００ｎ）は、同一の構成、機能、状態を有するので、以下では特段の断りがない限りユーザ装置１００ｎとして説明を進める。説明の便宜上、基地局装置と無線通信するのはユーザ装置であるが、より一般的には移動端末も固定端末も含む。【００２３】
無線通信システム１０００では、無線アクセス方式として、下りリンクについてはＯＦＤＭ（直交周波数分割多元接続）が、上りリンクについてはＳＣ−ＦＤＭＡ（シングルキャリア−周波数分割多元接続）が適用される。上述したように、ＯＦＤＭは、周波数帯域を複数の狭い周波数帯域（サブキャリア）に分割し、各サブキャリアにデータをマッピングして通信を行うマルチキャリア伝送方式である。ＳＣ−ＦＤＭＡは、周波数帯域を端末毎に分割し、複数の端末が互いに異なる周波数帯域を用いることで、端末間の干渉を低減するシングルキャリア伝送方式である。【００２４】
ここで、Ｅｖｏｌｖｅｄ  ＵＴＲＡ  ａｎｄ  ＵＴＲＡＮにおける通信チャネルについて説明する。【００２５】
下りリンクについては、各ユーザ装置１００ｎで共有される物理下りリンク共有チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、物理下りリンク制御チャネル(ＰＤＣＣＨ：  Ｐｈｙｓｉｃａｌ  Ｄｏｗｎｌｉｎｋｇ  Ｃｏｎｔｒｏｌ  Ｃｈａｎｎｅｌ)とが用いられる。物理下りリンク制御チャネルは下りＬ１／Ｌ２制御チャネルとも呼ばれる。上記物理下りリンク共有チャネルにより、ユーザデータ、すなわち、通常のデータ信号が伝送される。また、物理下りリンク制御チャネルにより、ダウンリンクＬ１／Ｌ２制御チャネルフォーマットインジケータ（ＤＬ  Ｌ１／Ｌ２  Ｃｏｎｔｒｏｌ  Ｃｈａｎｎｅｌ  Ｆｏｒｍａｔ  Ｉｎｄｉｃａｔｏｒ）、ダウンリンクスケジューリング情報（ＤＬ  Ｓｃｈｅｄｕｌｉｎｇ  Ｉｎｆｏｒｍａｔｉｏｎ）、Ａｃｋｎｏｗｌｅｄｇｅｍｅｎｔ  ｉｎｆｏｒｍａｔｉｏｎ（ＵＬ  ＡＣＫ／ＮＡＣＫ）、アップリンクスケジューリンググラント（Ｕｐｌｉｎｋ  Ｓｃｈｅｄｕｌｉｎｇ  Ｇｒａｎｔ）、オーバロードインジケータ（Ｏｖｅｒｌｏａｄ  Ｉｎｄｉｃａｔｏｒ）、送信電力制御コマンドビット（Ｔｒａｎｓｍｉｓｓｉｏｎ  Ｐｏｗｅｒ  Ｃｏｎｔｒｏｌ  Ｃｏｍｍａｎｄ  Ｂｉｔ：  ＴＰＣ  ｂｉｔ）等が伝送される。【００２６】
上記ＤＬ  Ｓｃｈｅｄｕｌｉｎｇ  Ｉｎｆｏｒｍａｔｉｏｎは、ＤＬ  Ａｓｓｉｇｎｍｅｎｔ  ＩｎｆｏｒｍａｔｉｏｎやＤＬ  Ｓｃｈｅｄｕｌｉｎｇ  Ｇｒａｎｔと呼ばれてもよい。
また、上述したＤＬ  Ｌ１／Ｌ2  Ｃｏｎｔｒｏｌ  Ｆｏｒｍａｔ  Ｉｎｄｉｃａｔｏｒは、Ｐｈｙｓｉｃａｌ  Ｃｏｎｔｒｏｌ  Ｆｏｒｍａｔ  Ｉｎｄｉｃａｔｏｒ  Ｃｈａｎｎｅｌ  (ＰＣＦＩＣＨ)とも呼ばれ、また、上記ＵＬ  ＡＣＫ/ＮＡＣＫは、Ｐｈｙｓｉｃａｌ  Ｈｙｂｒｉｄ
ＡＲＱ  Ｉｎｄｉｃａｔｏｒ  Ｃｈａｎｎｅｌ  (ＰＨＩＣＨ)とも呼ばれる。本実施例においては、上記ＰＣＦＩＣＨやＰＨＩＣＨ、送信電力制御コマンドビットは、上記ＰＤＣＣＨに含まれる情報要素として定義されているが、代わりに、上記ＰＤＣＣＨとは並列の関係になる、異なる物理チャネルとして定義されてもよい。【００２７】
ＤＬ  Ｓｃｈｅｄｕｌｉｎｇ  Ｉｎｆｏｒｍａｔｉｏｎには、例えば、物理下りリンク共有チャネルを用いて通信を行うユーザのＩＤや、そのユーザデータのトランスポートフォーマットの情報、すなわち、データサイズ、変調方式、ＨＡＲＱに関する情報や、下りリンクのリソースブロックの割り当て情報等が含まれる。また、Ｕｐｌｉｎｋ  Ｓｃｈｅｄｕｌｉｎｇ  Ｇｒａｎｔには、例えば、物理上りリンク共有チャネルを用いて通信を行うユーザのＩＤや、そのユーザデータのトランスポートフォーマットの情報、すなわち、データサイズ、変調方式に関する情報や、上りリンクのリソースブロックの割り当て情報、上りリンクの共有チャネルの送信電力に関する情報等が含まれる。ここで、上りリンクのリソースブロックとは、周波数リソースに相当し、リソースユニットとも呼ばれる。【００２８】
また、Ａｃｋｎｏｗｌｅｄｇｅｍｅｎｔ  ｉｎｆｏｒｍａｔｉｏｎ（ＵＬ  ＡＣＫ／ＮＡＣＫ）とは、上りリンクの共有チャネルに関する送達確認情報のことである。【００２９】
上りリンクについては、各ユーザ装置１００ｎで共有して使用される物理上りリンク共有チャネル（ＰＵＳＣＨ：  Ｐｈｙｓｉｃａｌ  Ｕｐｌｉｎｋ  Ｓｈａｒｅｄ  Ｃｈａｎｎｅｌ）と、物理上りリンク制御チャネルとが用いられる。上記物理上りリンク共有チャネルにより、ユーザデータ、すなわち、通常のデータ信号が伝送される。また、物理上りリンク制御チャネルにより、下りリンクにおける共有物理チャネルのスケジューリング処理や適応変復調及び符号化処理（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：  Ｃｈａｎｎｅｌ  Ｑｕａｌｉｔｙ  Ｉｎｄｉｃａｔｏｒ）、及び、物理下りリンク共有チャネルの送達確認情報（Ａｃｋｎｏｗｌｅｄｇｅｍｅｎｔ  Ｉｎｆｏｒｍａｔｉｏｎ）が伝送される。送達確認情報の内容は、送信信号が適切に受信されたことを示す肯定応答(ＡＣＫ：  Ａｃｋｎｏｗｌｅｄｇｅｍｅｎｔ)又はそれが適切に受信されなかったことを示す否定応答(ＮＡＣＫ：  Ｎｅｇａｔｉｖｅ  Ａｃｋｎｏｗｌｅｄｇｅｍｅｎｔ)の何れかで表現される。【００３０】
物理上りリンク制御チャネルでは、ＣＱＩや送達確認情報に加えて、上りリンクの共有チャネルのリソース割り当てを要求するスケジューリング要求（Ｓｃｈｅｄｕｌｉｎｇ  Ｒｅｑｕｅｓｔ）や、パーシステントスケジューリング（Ｐｅｒｓｉｓｔｅｎｔ  Ｓｃｈｅｄｕｌｉｎｇ）におけるリリース要求（Ｒｅｌｅａｓｅ  Ｒｅｑｕｅｓｔ）等が送信されてもよい。ここで、上りリンクの共有チャネルのリソース割り当てとは、あるサブフレームの物理下りリンク制御チャネルを用いて、後続のサブフレームにおいて上りリンクの共有チャネルを用いて通信を行ってよいことを基地局装置がユーザ装置に通知することを意味する。【００３１】
下りリンク伝送では、図２に示すように、１サブフレームは、例えば１ｍｓであり、１サブフレームの中に１４個のＯＦＤＭシンボル（ＯＦＤＭ  ｓｙｍｂｏｌ）が存在する。図２において、時間軸方向の番号（＃１、＃２、＃３、・・・、＃１４）はＯＦＤＭシンボルを識別する番号を示し、周波数軸方向の番号（＃１、＃２、＃３、・・・、＃Ｍ−１、＃Ｍ、ＭはＭ＞０の整数）はリソースブロック（Ｒｅｓｏｕｒｃｅ  Ｂｌｏｃｋ）を識別する番号を示す。【００３２】
１サブフレームの先頭のＭ個のＯＦＤＭシンボルには、上記物理下りリンク制御チャネルがマッピングされる。Ｍの値としては、１、２、３の３通りが設定される。図２においては、１サブフレームの先頭の２個のＯＦＤＭシンボル（Ｍ＝２）、すなわち、ＯＦＤＭシンボル＃１及び＃２に上記物理下りリンク制御チャネルがマッピングされている。そして、上記物理下りリンク制御チャネルがマッピングされるＯＦＤＭシンボル以外のＯＦＤＭシンボルにおいて、ユーザデータやＳＣＨ、ＢＣＨ、Ｐｅｒｓｉｓｔｅｎｔ  Ｓｃｈｅｄｕｌｉｎｇが適用されるデータ信号等が送信される。【００３３】
また、周波数方向においては、Ｍ個のリソースブロックが定義される。ここで、１リソースブロックあたりの周波数帯域は、例えば１８０ｋＨｚであり、１リソースブロックの中に１２個のサブキャリアが存在する。また、リソースブロックの数Ｍは、システム帯域幅が５ＭＨｚの場合には２５であり、システム帯域幅が１０ＭＨｚの場合には５０であり、システム帯域幅が２０ＭＨｚの場合には１００である。【００３４】
図３に、図２に示すサブフレームの構成を持つ場合の、ＯＦＤＭシンボル＃１及び＃２におけるサブキャリアマッピングを示す。尚、同図において、１ＯＦＤＭシンボルのサブキャリアの数をＬ（Ｌは、Ｌ＞０の整数）とし、周波数の小さい方から、サブキャリア＃１、＃２、…、＃Ｌと番号付けを行っている。システム帯域幅が５ＭＨｚの場合には、Ｌ＝３００であり、システム帯域幅が１０ＭＨｚの場合には、Ｌ＝６００であり、システム帯域幅が２０ＭＨｚの場合には、Ｌ＝１２００である。同図に示すように、ＯＦＤＭシンボル＃１のサブキャリアには、下りリンクリファレンスシグナル（ＤＬ  ＲＳ：  Ｄｏｗｎｌｉｎｋ  Ｒｅｆｅｒｅｎｃｅ  Ｓｉｇｎａｌ）と物理下りリンク制御チャネルがマッピングされる。また、ＯＦＤＭシンボル＃２には、物理下りリンク制御チャネルがマッピングされる。【００３５】
ＤＬ  ＲＳは、ＯＦＤＭシンボル＃１において、６個のサブキャリアに１個の割合で送信される。図においては、サブキャリア＃６×ｄ−５（但し、ｄ：１、２、…）にＤＬ  ＲＳがマッピングされている。また、上記ＤＬ  ＲＳがマッピングされているサブキャリア以外のサブキャリアに物理下りリンク制御チャネルがマッピングされる。図においては、上記物理下りリンク制御チャネルにより送信される情報の内、Ａｃｋｎｏｗｌｅｄｇｅｍｅｎｔ  ｉｎｆｏｒｍａｔｉｏｎ（ＵＬ  ＡＣＫ／ＮＡＣＫ）がマッピングされるサブキャリアの例を示した。図においては、サブキャリア＃３と、サブキャリア＃Ｌ−３にマッピングされている例を示している。Ａｃｋｎｏｗｌｅｇｅｍｅｎｔ  ｉｎｆｏｒｍａｔｉｏｎがマッピングされるサブキャリアの数は、上りリンクにおいて1サブフレームに多重されるユーザ装置の数の最大数、すなわち、1サブフレームにおいて上りリンクの共有チャネルを送信するユーザ装置の数の最大数により決定されてもよい。【００３６】
尚、物理下りリンク制御チャネルがマッピングされるＯＦＤＭシンボルの数が３の場合のＯＦＤＭシンボル＃３の構成は、図３におけるＯＦＤＭシンボル＃２の構成と基本的に同じである。【００３７】
次に、本発明の実施例に係る基地局装置２００について、図４を参照して説明する。【００３８】
本実施例に係る基地局装置２００は、送受信アンテナ２０２と、アンプ部２０４と、送受信部２０６と、ベースバンド信号処理部２０８と、呼処理部２１０と、伝送路インターフェース２１２とを備える。【００３９】
下りリンクにより基地局装置２００からユーザ装置１００ｎに送信されるパケットデータは、基地局装置２００の上位に位置する上位局、例えばアクセスゲートウェイ装置３００から伝送路インターフェース２１２を介してベースバンド信号処理部２０８に入力される。【００４０】
ベースバンド信号処理部２０８では、シーケンス番号の付与や上記シーケンス番号を用いた秘匿処理などのＰＤＣＰレイヤの処理や、パケットデータの分割・結合、ＲＬＣ（ｒａｄｉｏ  ｌｉｎｋ  ｃｏｎｔｒｏｌ）再送制御の送信処理などのＲＬＣ  ｌａｙｅｒの送信処理、ＭＡＣ再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理、スケジューリング、伝送フォーマット選択、チャネル符号化、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）処理が行われて、送受信部２０６に転送される。また、ベースバンド信号処理部２０８では、後述するように、サブフレーム毎に、リソースブロック（あるいはサブキャリア）およびＯＦＤＭシンボル毎に、下りリンクリファレンスシグナルや物理下りリンク制御チャネルやユーザデータ（トランスポートチャネルとしてはＤＬ−ＳＣＨ）、ＳＣＨ、ＢＣＨ、Ｐｅｒｓｉｓｔｅｎｔ  Ｓｃｈｅｄｕｌｉｎｇが適用されるデータ信号等に割り当てられる送信電力が決定される。【００４１】
送受信部２０６では、ベースバンド信号処理部２０８から出力されたベースバンド信号を無線周波数帯に変換する周波数変換処理が施され、その後、アンプ部２０４で増幅されて送受信アンテナ２０２より送信される。【００４２】
一方、上りリンクによりユーザ装置１００ｎから基地局装置２００に送信されるデータについては、送受信アンテナ２０２で受信された無線周波数信号がアンプ部２０４で増幅され、送受信部２０６で周波数変換されてベースバンド信号に変換され、ベースバンド信号処理部２０８に入力される。【００４３】
ベースバンド信号処理部２０８では、入力されたベースバンド信号に対して、ＦＦＴ処理、ＩＤＦＴ処理、誤り訂正復号、ＭＡＣ再送制御の受信処理、ＲＬＣレイヤー及びＰＤＣＰレイヤの受信処理がなされ、伝送路インターフェース２１２を介してアクセスゲートウェイ装置３００に転送される。【００４４】
呼処理部２１０は、通信チャネルの設定や解放等の呼処理や、無線基地局２００の状態管理や、無線リソースの管理を行う。【００４５】
次に、ベースバンド信号処理部２０８の構成について、図５を参照して説明する。【００４６】
ベースバンド信号処理部２０８は、レイヤー１処理部２０８１と、選択手段としてのＭＡＣ（Ｍｅｄｉｕｍ  Ａｃｃｅｓｓ  Ｃｏｎｔｒｏｌ）処理部２０８２と、ＲＬＣ処理部２０８３と、送信電力制御手段としてのＤＬ送信電力決定部２０８４とを備える。【００４７】
ベースバンド信号処理部２０８におけるレイヤー１処理部２０８１とＭＡＣ処理部２０８２とＲＬＣ処理部２０８３とＤＬ送信電力決定部２０８４と呼処理部２１０とは、互いに接続されている。【００４８】
レイヤー１処理部２０８１では、下りリンクで送信されるデータのチャネル符号化やＩＦＦＴ処理、上りリンクで送信されるデータのチャネル復号化やＩＤＦＴ処理、ＦＦＴ処理などが行われる。
レイヤー１処理部２０８１は、物理下りリンク共有チャネルを用いて通信を行うユーザ装置のＩＤや、そのユーザデータのトランスポートフォーマットの情報、すなわち、Ｄｏｗｎｌｉｎｋ  Ｓｃｈｅｄｕｌｉｎｇ  Ｉｎｆｏｒｍａｔｉｏｎ、及び、物理上りリンク共有チャネルを用いて通信を行うユーザのＩＤや、そのユーザデータのトランスポートフォーマットの情報、すなわち、Ｕｐｌｉｎｋ  Ｓｃｈｅｄｕｌｉｎｇ  ＧｒａｎｔをＭＡＣ処理部２０８２から受け取る。また、レイヤー１処理部２０８１は、上記物理下りリンク共有チャネルを用いて通信を行うユーザのＩＤや、そのユーザデータのトランスポートフォーマットの情報、すなわち、Ｄｏｗｎｌｉｎｋ  Ｓｃｈｅｄｕｌｉｎｇ  Ｉｎｆｏｒｍａｔｉｏｎ、及び、物理上りリンク共有チャネルを用いて通信を行うユーザのＩＤや、そのユーザデータのトランスポートフォーマットの情報、すなわち、Ｕｐｌｉｎｋ  Ｓｃｈｅｄｕｌｉｎｇ  Ｇｒａｎｔに対して、チャネル符号化やＩＦＦＴ処理等の送信処理を行う。上記物理下りリンク共有チャネルを用いて通信を行うユーザのＩＤや、そのユーザデータのトランスポートフォーマットの情報、すなわち、Ｄｏｗｎｌｉｎｋ  Ｓｃｈｅｄｕｌｉｎｇ  Ｉｎｆｏｒｍａｔｉｏｎ、及び、物理上りリンク共有チャネルを用いて通信を行うユーザのＩＤや、そのユーザデータのトランスポートフォーマットの情報、すなわち、Ｕｐｌｉｎｋ  Ｓｃｈｅｄｕｌｉｎｇ  Ｇｒａｎｔは、下りリンクの制御チャネルである物理下りリンク制御チャネルにマッピングされる。【００４９】
また、レイヤー１処理部２０８１では、ＤＬ送信電力決定部２０８４から通知された送信電力情報に基づいて、下りリンクリファレンスシグナルや物理下りリンク制御チャネルやユーザデータ、ＳＣＨ、ＢＣＨ、Ｐｅｒｓｉｓｔｅｎｔ  Ｓｃｈｅｄｕｌｉｎｇが適用されるデータ信号等がマッピングされるサブキャリアの送信電力を設定する。【００５０】
また、レイヤー１処理部２０８１は、上りリンクのベースバンド信号に含まれる、ユーザ装置１００ｎからのＣＱＩの復号を行い、上記ＣＱＩの復号結果をＭＡＣ処理部２０８２とＤＬ送信電力決定部２０８４に通知する。【００５１】
ＭＡＣ処理部２０８２は、下りリンクのユーザデータのＭＡＣ再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理や、スケジューリング、伝送フォーマットの選択、周波数リソースの割り当て等を行う。ここで、スケジューリングとは、当該サブフレームにおいて共有チャネルを用いた通信を行うユーザ装置を選別（選択）する処理のことを指し、例えば、そのアルゴリズムとして、ラウンドロビンやプロポーショナルフェアネス（Ｐｒｏｐｏｒｔｉｏｎａｌ  Ｆａｉｒｎｅｓｓ）、ＭＡＸ  Ｃ／Ｉが存在する。上記プロポーショナルフェアネス（Ｐｒｏｐｏｒｔｉｏｎａｌ  Ｆａｉｒｎｅｓｓ）やＭＡＸ  Ｃ／Ｉにおいては、例えば、各ユーザ装置に関する評価メトリックを算出し、上記評価メトリックが大きいユーザ装置を、当該サブフレームにおいて共有チャネルを用いて通信を行うユーザ装置として選別する処理が行われる。ここで、上記評価メトリックは、無線リソースを割り当てる優先順位を示す優先度に相当する。言い換えれば、上記プロポーショナルフェアネス（Ｐｒｏｐｏｒｔｉｏｎａｌ  Ｆａｉｒｎｅｓｓ）やＭＡＸ  Ｃ／Ｉにおいては、無線リソースを割り当てる優先順位を示す優先度にしたがって、無線リソースを割り当てるユーザ装置が選択される。また、伝送フォーマットの選択とは、スケジューリングにおいて選別されたユーザ装置１００ｎに送信する下りリンクの共有チャネルに関する変調方式や符号化率、データサイズ等のトランスポートフォーマットの情報を決定することを指す。上記変調方式、符号化率、データサイズの決定は、例えば、ユーザ装置から上りリンクにおいて報告されるＣＱＩに基づいて行われる。さらに、上記周波数リソースの割り当てとは、スケジューリングにおいて選別されたユーザ装置１００ｎに送信する下りリンクの共有チャネルの送信に用いられるリソースブロックを決定する処理のことを指す。上記リソースブロックの決定は、例えば、ユーザ装置１００ｎから上りリンクにおいて報告されるＣＱＩに基づいて行われる。尚、上記ＣＱＩは、レイヤー１処理部２０８１より通知される。そして、ＭＡＣ処理部２０８２は、上述したスケジューリング処理、伝送フォーマットの選択処理、周波数リソースの割り当て処理により決定される、物理下りリンク共有チャネルを用いて通信を行うユーザ装置のＩＤや、そのユーザデータのトランスポートフォーマットの情報、すなわち、Ｄｏｗｎｌｉｎｋ  Ｓｃｈｅｄｕｌｉｎｇ  Ｉｎｆｏｒｍａｔｉｏｎをレイヤー１処理部２０８１とＤＬ送信電力決定部２０８４に通知する。【００５２】
また、ＭＡＣ処理部２０８２は、上りリンクのユーザデータのＭＡＣ再送制御の受信処理や、スケジューリング処理、伝送フォーマットの選択処理、周波数リソースの割り当て処理等を行う。ここで、スケジューリング処理とは、所定のサブフレームにおいて共有チャネルを用いてユーザデータの送信を行うユーザ装置を選別する処理のことを指す。また、伝送フォーマットの選択処理とは、スケジューリングにおいて選別されたユーザ装置が送信するユーザデータに関する変調方式や符号化率、データサイズ等のトランスポートフォーマットの情報を決定する処理のことを指す。上記変調方式、符号化率、データサイズの決定は、例えば、ユーザ装置から上りリンクにおいて送信するサウンディング用リファレンス信号のＳＩＲやパスロスに基づいて行われる。上記パスロスは、例えば、上記サウンディング用リファレンス信号の受信電力と、ユーザ装置１００ｎから報告される上りリンクの送信電力の情報、例えば、ＵＥ  Ｐｏｗｅｒ  Ｈｅａｄｒｏｏｍとから推定されてもよい。さらに、上記周波数リソースの割り当て処理とは、スケジューリングにおいて選別されたユーザ装置が送信するユーザデータの送信に用いられるリソースブロックを決定する処理のことを指す。上記リソースブロックの決定は、例えば、ユーザ装置から上りリンクにおいて送信するサウンディング用リファレンス信号のＳＩＲに基づいて行われる。そして、ＭＡＣ処理部２０８２は、上述したスケジューリング処理、伝送フォーマットの選択処理、周波数リソースの割り当て処理により決定される、物理上りリンク共有チャネルを用いて通信を行うユーザ装置のＩＤや、そのユーザデータのトランスポートフォーマットの情報、すなわち、Ｕｐｌｉｎｋ  Ｓｃｈｅｄｕｌｉｎｇ  Ｇｒａｎｔをレイヤー１処理部２０８１とＤＬ送信電力決定部２０８４に通知する。
さらに、ＭＡＣ処理部２０８２は、ＤＬ送信電力決定部２０８４から通知された送信電力情報に基づいて、ユーザデータ（トランスポートチャネルとしてはＤＬ−ＳＣＨ）に割り当て可能なリソースブロックを決定してもよい。そして、ＭＡＣ処理部２０８２は、上記ユーザデータに割り当て可能なリソースブロックにおいて、上述したスケジューリングや伝送フォーマットの選択、周波数リソースの割り当てを行う。【００５３】
例えば、ＭＡＣ処理部２０８２は、ＤＬ送信電力決定部２０８４から、上記送信電力情報として、当該サブフレームにおけるＢＣＨの送信電力ＰＢＣＨと、当該サブフレームにおけるＳＣＨの送信電力ＰＳＣＨと、当該サブフレームにおけるＰｅｒｓｉｓｔｅｎｔ  Ｓｃｈｅｄｕｌｉｎｇが適用されるデータ信号の送信電力Ｐｄａｔａ，ＴＰＣと、ユーザデータ（トランスポートチャネルとしてはＤＬ−ＳＣＨ）の１サブキャリアあたりの送信電力Ｐｄａｔａ（ｕｎｉｔ）と、基地局装置２００の最大送信電力Ｐｔｏｔａｌを受け取る。そして、上記ＰＢＣＨと、ＰＳＣＨと、Ｐｄａｔａ，ＴＰＣと、Ｐｄａｔａ（ｕｎｉｔ）と、Ｐｔｏｔａｌとに基づいて、ユーザデータ（トランスポートチャネルとしてはＤＬ−ＳＣＨ）に割り当て可能なリソースブロックの数ＮｕｍＲＢ（ｄａｔａ）を算出してもよい。【００５４】
ＲＬＣ処理部２０８３では、下りリンクのパケットデータに関する、分割・結合、ＲＬＣ再送制御の送信処理等のＲＬＣレイヤーの送信処理や、上りリンクのデータに関する、分割・結合、ＲＬＣ再送制御の受信処理等のＲＬＣレイヤーの受信処理が行われる。また、ＲＬＣ処理部２０８３において、下りリンク及び上りリンクにおけるＰＤＣＰレイヤの送受信処理が行われてもよい。【００５５】
ＤＬ送信電力決定部２０８４は、下りリンクリファレンスシグナル（DL  RS）や物理下りリンク制御チャネルやユーザデータ、ＳＣＨ、ＢＣＨ、Ｐｅｒｓｉｓｔｅｎｔ  Ｓｃｈｅｄｕｌｉｎｇが適用されるデータ信号等の送信電力を決定し、上記決定した下りリンクリファレンスシグナルや物理下りリンク制御チャネルやユーザデータ（トランスポートチャネルとしてはＤＬ−ＳＣＨ）、ＳＣＨ、ＢＣＨ、Ｐｅｒｓｉｓｔｅｎｔ  Ｓｃｈｅｄｕｌｉｎｇが適用されるデータ信号の送信電力を、送信電力情報として、レイヤー１処理部２０８１やＭＡＣ処理部２０８２に通知する。ここで、下りリンクリファレンスシグナルやＳＣＨやＢＣＨの送信電力の値は、一般に固定値であり、上位レイヤーからシグナリングされた値や、基地局装置２００における内部パラメータとして設定されている値を参照して決定される。また、Ｐｅｒｓｉｓｔｅｎｔ  Ｓｃｈｅｄｕｌｉｎｇが適用されるデータ信号の送信電力は、例えば、当該ユーザ装置から報告されるＣＱＩの値に基づいて決定される。さらに、ユーザデータ（トランスポートチャネルとしてはＤＬ−ＳＣＨ）の１サブキャリアあたりの送信電力、すなわち、ＰＤＳＣＨの１サブキャリアあたりの送信電力は、例えば、システム帯域の全てのサブキャリアに均等に送信電力を割り当てた場合の１サブキャリアあたりの送信電力としてもよい。【００５６】
ＤＬ送信電力決定部２０８４において行われる物理下りリンク制御チャネルに割り当てられる送信電力の決定処理については後述する。この物理下りリンク制御チャネルは、ＤＬ  Ｌ１／Ｌ２  Ｃｏｎｔｒｏｌ  Ｃｈａｎｎｅｌとも呼ばれる。【００５７】
ＤＬ  ＲＳの送信電力制御(ＴＰＣ：  Ｔｒａｎｓｍｉｓｓｉｏｎ  Ｐｏｗｅｒ  Ｃｏｎｔｒｏｌ）について説明する。ＤＬ  ＲＳの送信電力は、外部入力インタフェース（ＩＦ）より予め設定される。ＤＬ  ＲＳの１  ｒｅｓｏｕｒｃｅ  ｅｌｅｍｅｎｔあたりの送信電力（絶対値）をＰＤＬＲＳとし、サブフレームの先頭のＯＦＤＭ  ｓｙｍｂｏｌにおけるＤＬ  ＲＳのｒｅｓｏｕｒｃｅ  ｅｌｅｍｅｎｔの数をｎＤＬＲＳと定義する。【００５８】
尚、外部入力インタフェース（ＩＦ）より設定されるとは、パラメータとして固定値が設定されるという意味であり、上記パラメータの値は、基地局装置２００の内部パラメータとして保持されてもよいし、コアネットワーク４００内のノードやアクセスゲートウェイ装置３００から遠隔的に指定されてもよい。【００５９】
報知チャネル（ＢＣＨ：  Ｂｒｏａｄｃａｓｔ  ｃｈａｎｎｅｌ）のＴＰＣについて説明する。報知チャネルの送信電力は、外部入力インタフェース（ＩＦ）より予め設定される。すなわち、上述したように固定値となる。【００６０】
ページングチャネル（ＰＣＨ：  ｐａｇｉｎｇ  ｃｈａｎｎｅｌ）のＴＰＣについて説明する。ページングチャネルの送信電力はPDSCHの送信電力と同一とする。すなわち、ページングチャネルの送信電力は、システム帯域の全てのサブキャリアに均等に送信電力を割り当てた場合の１サブキャリアあたりの送信電力となるため、上述したように固定値となる。【００６１】
同期チャネル（ＳＣＨ：  Ｓｙｎｃｈｒｏｎｉｚａｔｉｏｎ  ｃｈａｎｎｅｌ）、すなわちＰ−ＳＣＨ（Ｐｒｉｍａｒｙ−ＳＣＨ）、Ｓ−ＳＣＨ（Ｓｅｃｏｎｄａｒｙ−ＳＣＨ）のTPCについて説明する。同期チャネルの送信電力は、外部入力インタフェース（ＩＦ）より設定される。すなわち、上述したように固定値となる。【００６２】
ランダムアクセスチャネル応答（ＲＡＣＨ  ｒｅｓｐｏｎｓｅ）のTPCについて説明する。ＲＡＣＨ  ｒｅｓｐｏｎｓｅは、ランダムアクセス手順におけるメッセージ２に相当する。ＲＡＣＨ  ｒｅｓｐｏｎｓｅの送信電力は、PDSCHの送信電力と同一とする。すなわち、ＲＡＣＨ  ｒｅｓｐｏｎｓｅの送信電力は、システム帯域の全てのサブキャリアに均等に送信電力を割り当てた場合の１サブキャリアあたりの送信電力となるため、上述したように固定値となる。【００６３】
尚、上述した処理においては、ＰＣＨの１サブキャリアあたりの送信電力やＲＡＣＨ  ｒｅｓｐｏｎｓｅの１サブキャリアあたりの送信電力を、ＰＤＳＣＨの送信電力と同一としたが、代わりに、ＳＣＨやＢＣＨと同様に、外部入力インタフェース（ＩＦ）により設定されるような構成としてもよい。【００６４】
次に、物理下りリンク制御チャネルのTPCについて説明する。以下、ＯＦＤＭシンボル（ＯＦＤＭ  ｓｙｍｂｏｌ）のインデックス（Index）をm(mは整数)とする。具体的には、サブフレームの先頭から、ｍ＝０，１，２，．．．と定義する。また、物理下りリンク制御チャネルに割り当てられるＯＦＤＭシンボルの数をＭとする。【００６５】
物理下りリンク制御チャネルには、ダウンリンクＬ１／Ｌ２制御チャネルフォーマットインジケータ（ＤＬ  Ｌ１／Ｌ２  Ｃｏｎｔｒｏｌ  Ｃｈａｎｎｅｌ  Ｆｏｒｍａｔ  Ｉｎｄｉｃａｔｏｒ、カテゴリー０情報とも呼ばれる）、ダウンリンクスケジューリング情報（ＤＬ  Ｓｃｈｅｄｕｌｉｎｇ  Ｉｎｆｏｒｍａｔｉｏｎ）、Ａｃｋｎｏｗｌｅｄｇｅｍｅｎｔ  ｉｎｆｏｒｍａｔｉｏｎ（ＵＬ  ＡＣＫ／ＮＡＣＫ）、アップリンクスケジューリンググラント（Ｕｐｌｉｎｋ  Ｓｃｈｅｄｕｌｉｎｇ  Ｇｒａｎｔ）、オーバロードインジケータ（Ｏｖｅｒｌｏａｄ  Ｉｎｄｉｃａｔｏｒ）、送信電力制御コマンドビット（Ｔｒａｎｓｍｉｓｓｉｏｎ  Ｐｏｗｅｒ  Ｃｏｎｔｒｏｌ  Ｃｏｍｍａｎｄ  Ｂｉｔ、ＴＰＣ  ｂｉｔ）等の情報がマッピングされる。【００６６】
ところで、ダウンリンクＬ１／Ｌ２制御チャネルフォーマットインジケータは、物理下りリンク制御チャネルに割り当てられるＯＦＤＭシンボルの数（上述したＭの値）を指定する情報である。
物理下りリンク制御チャネルに割り当てられるＯＦＤＭシンボルの数（上述したＭの値）は、同時多重ユーザ数及び多重するユーザの受信品質に依存する。典型的には物理下りリンク制御チャネルに割り当てられるＯＦＤＭシンボル数を十分に大きくしておく。しかし、同時多重ユーザ数が小さければ、物理下りリンク制御チャネルに割り当てられるＯＦＤＭシンボルの数は少なくなる。従って、サブフレーム毎に同時多重ユーザ数及び多重するユーザの受信品質が変化する場合には、十分大きく確保されている物理下りリンク制御チャネルに無駄が生じる場合がある。【００６７】
このような物理下りリンク制御チャネルの無駄を低減するため、物理下りリンク制御チャネルにマッピングされるダウンリンクＬ１／Ｌ２制御チャネルフォーマットインジケータにより、物理下りリンク制御チャネルに割り当てられるＯＦＤＭシンボルの数（上述したＭの値）が通知される。すなわち、サブフレーム毎に、物理下りリンク制御チャネルに割り当てられるＯＦＤＭシンボルの数（上述したＭの値）が適切に設定される。【００６８】
以下では、物理下りリンク制御チャネル内の各情報の送信電力制御方法、及び、上記物理下りリンク制御チャネルに割り当てられるＯＦＤＭシンボルの数（上述したＭの値）の決定方法を説明する。【００６９】
ＤＬ送信電力決定部２０８４は、物理下りリンク制御チャネルの送信電力を決定する場合に、上述したダウンリンクＬ１／Ｌ２制御チャネルフォーマットインジケータの送信電力、オーバロード  インジケータ(Overload  indicator)の送信電力、Ａｃｋｎｏｗｌｅｄｇｅｍｅｎｔ  ｉｎｆｏｒｍａｔｉｏｎ（UL  ACK/NACK）の送信電力、送信電力制御情報（TPC  bit）の送信電力を決定する。また、ＤＬ送信電力決定部２０８４は、ダウンリンクスケジューリング情報（ＤＬ  Ｓｃｈｅｄｕｌｉｎｇ  Ｉｎｆｏｒｍａｔｉｏｎ）の送信電力、及び、アップリンクスケジューリンググラント（Ｕｐｌｉｎｋ  Ｓｃｈｅｄｕｌｉｎｇ  Ｇｒａｎｔ）の送信電力を決定するとともに、上記物理下りリンク制御チャネルに割り当てられるＯＦＤＭシンボルの数（上述したＭの値）を決定する。【００７０】
尚、物理下りリンク制御チャネルには、上述した全ての信号がマッピングされる必要はない。例えば、上述した信号の内、オーバロード  インジケータ(Overload  indicator)が送信されず、残りのダウンリンクＬ１／Ｌ２制御チャネルフォーマットインジケータ、Ａｃｋｎｏｗｌｅｄｇｅｍｅｎｔ  ｉｎｆｏｒｍａｔｉｏｎ（UL  ACK/NACK）の送信電力、送信電力制御情報（TPC  bit）の送信電力、ダウンリンクスケジューリング情報（ＤＬ  Ｓｃｈｅｄｕｌｉｎｇ  Ｉｎｆｏｒｍａｔｉｏｎ）、アップリンクスケジューリンググラント（Ｕｐｌｉｎｋ  Ｓｃｈｅｄｕｌｉｎｇ  Ｇｒａｎｔ）が、物理下りリンク制御チャネルにより送信されてもよい。【００７１】
ここで、以下の説明で使用する用語の定義を示す。【００７２】
【表１】
2008105316.tif 000003
【００７３】
【表２】
2008105316.tif 000004
【００７４】
【表３】
2008105316.tif 000005
ダウンリンクＬ１／Ｌ２制御チャネルフォーマットインジケータの送信電力は、外部入力インタフェース（ＩＦ）より設定される。ダウンリンクＬ１／Ｌ２制御チャネルフォーマットインジケータの１  ｒｅｓｏｕｒｃｅ  ｅｌｅｍｅｎｔあたりの送信電力（絶対値）をＰｃａｔ０とする。また、ダウンリンクＬ１／Ｌ２制御チャネルフォーマットインジケータのｒｅｓｏｕｒｃｅ  ｅｌｅｍｅｎｔの数をｎｃａｔ０とする。【００７５】
オーバーロードインジケータ（Ｏｖｅｒｌｏａｄ  ｉｎｄｉｃａｔｏｒ）の送信電力は、物理下りリンク制御チャネルに用いられるOFDMシンボル数Ｍを1と仮定した場合の送信電力として、外部インタフェース（ＩＦ）より設定される。Ｏｖｅｒｌｏａｄ  ｉｎｄｉｃａｔｏｒの１  ｒｅｓｏｕｒｃｅ  ｅｌｅｍｅｎｔあたりの送信電力（絶対値）をＰＯＬＩは，以下の式（１）のように算出される。ここで、Ｏｖｅｒｌｏａｄ  ｉｎｄｉｃａｔｏｒの１  ＯＦＤＭ  ｓｙｍｂｏｌあたりのｒｅｓｏｕｒｃｅ  ｅｌｅｍｅｎｔの数をｎＯＬＩとし、外部インタフェース（IF）より設定されるＯｖｅｒｌｏａｄ  ｉｎｄｉｃａｔｏｒの送信電力の絶対値をＰＯＬＩ（ＩＦ）とする。【００７６】
ＰＯＬＩ＝ＰＯＬＩ（ＩＦ）/Ｍ      （１）
式（１）において、Ｍで割り算を行う理由を以下に説明する。ＰＯＬＩ（ＩＦ）は、Ｍ＝１を仮定しているため、例えば、Ｍ＝２の場合には、ｍ＝０、１の両方のＯＦＤＭシンボルに、Ｏｖｅｒｌｏａｄ  ｉｎｄｉｃａｔｏｒがマッピングされる。この場合、当該サブフレームにおけるＯｖｅｒｌｏａｄ  ｉｎｄｉｃａｔｏｒのトータルの送信電力を一定に保つために、各ＯＦＤＭシンボルにおける各サブキャリア、すなわち、ｒｅｓｏｕｒｃｅ  ｅｌｅｍｅｎｔあたりの電力は、ＰＯＬＩ（ＩＦ）を２で割った値となる。Ｍ＝３の場合も同様である。【００７７】
Ａｃｋｎｏｗｌｅｄｇｅｍｅｎｔ  ｉｎｆｏｒｍａｔｉｏｎ（ＵＬ  ＡＣＫ／ＮＡＣＫ）の送信電力について説明する。Ａｃｋｎｏｗｌｅｄｇｅｍｅｎｔ  ｉｎｆｏｒｍａｔｉｏｎ（ＵＬ  ＡＣＫ／ＮＡＣＫ）の送信電力は，当該ＵＬ  ＡＣＫ／ＮＡＣＫの送信先であるユーザ装置から報告される、下りリンクのシステム帯域全体に関するCQI値ＣＱＩaverage,ULACK（l）に基づいて算出される。尚、上記下りリンクのシステム帯域全体に関するCQI値ＣＱＩaverage,ULACK（l）は、レイヤー１処理部２０８１より通知されるＣＱＩの情報に含まれる値である。物理下りリンク制御チャネルに用いられるOFDMシンボル数Ｍを1と仮定した場合の、ＵＬ  ＡＣＫ／ＮＡＣＫの１  ｒｅｓｏｕｒｃｅ  ｅｌｅｍｅｎｔあたりの送信電力（絶対値．単位：Ｗ）PACK,tmp(l)は、以下の式（２）に基づいて算出される。ここで、Ｉｎｄｅｘ  ｌは、UL-SCHの番号に１対１対応するＩｎｄｅｘである。ＵＬ  ＡＣＫ／ＮＡＣＫの番号と、ＵＬ−ＳＣＨの番号の対応関係は、例えば、非特許文献４に記載されている。【００７８】
【数１】
2008105316.tif 000006
式（２）において、PACK(max)はCQIが所定の値ＣＱＩaverage（min）のときのＵＬ  ＡＣＫ／ＮＡＣＫの１  ｒｅｓｏｕｒｃｅ  ｅｌｅｍｅｎｔあたりの送信電力（絶対値）であり、PACK(min)はＵＬ  ＡＣＫ／ＮＡＣＫの１  ｒｅｓｏｕｒｃｅ  ｅｌｅｍｅｎｔあたりの送信電力の最小値（絶対値）である。上記PACK(max)、ＣＱＩaverage（min）、PACK(min)は、外部インタフェース（ＩＦ）より設定される。【００７９】
また、ＵＬ  ＡＣＫ／ＮＡＣＫの１  ＯＦＤＭシンボルあたりのｒｅｓｏｕｒｃｅ  ｅｌｅｍｅｎｔの数をnACKとし、当該サブフレームにおいて実際に送信されるＵＬ  ＡＣＫ／ＮＡＣＫの数をLACKとする。上記ＵＬ  ＡＣＫ／ＮＡＣＫの数LACKは、上記ＵＬ  ＡＣＫ／ＮＡＣＫに対応するＵＬ−ＳＣＨが送信されるサブフレームにおける、ＵＬ−ＳＣＨを送信するユーザ装置の数、すなわち、ＵＬ−ＳＣＨの多重数に一致する値である。
最終的なＵＬ  ＡＣＫ／ＮＡＣＫの１  ｒｅｓｏｕｒｃｅ  ｅｌｅｍｅｎｔあたりの送信電力（絶対値、単位：W）PACK(ｌ)は，以下の式（３）に基づいて算出される。【００８０】
PACK(ｌ)＝PACK,tmp(l)/Ｍ      （３）
式（３）において、Ｍで割り算を行う理由は、式（１）の場合と同様である。
ＴＰＣ  ｂｉｔの送信電力について説明する。ＴＰＣ  ｂｉｔの送信電力は、当該ＴＰＣ  ｂｉｔの送信先であるユーザ装置から報告される、下りリンクのシステム帯域幅全体に関するCQI値ＣＱＩaverage,ＴＰＣ（ｋ）に基づいて算出される。尚、上記下りリンクのシステム帯域全体に関するCQI値ＣＱＩaverage,ULACK（l）は、レイヤー１処理部２０８１より通知されるＣＱＩの情報に含まれる値である。物理下りリンク制御チャネルに用いられるOFDMシンボル数Ｍを1と仮定した場合の、ＴＰＣ  ｂｉｔの１  ｒｅｓｏｕｒｃｅ  ｅｌｅｍｅｎｔあたりの送信電力（絶対値．単位：W）PTPC,tmp(ｋ)は、以下の式（４）に基づいて算出される。ここで、Index  kは、ＴＰＣ  ｂｉｔのIndex(あるいは，当該サブフレームのNTPC前のサブフレームにおける上りリンクのＳｏｕｎｄｉｎｇ用のリファレンス信号の番号に１対１対応する番号)を示すIndexである。【００８１】
【数２】
2008105316.tif 000007
式（４）において、PTPC(max)はCQIが所定の値ＣＱＩaverage（min）のときのＴＰＣ  ｂｉｔの１  ｒｅｓｏｕｒｃｅ  ｅｌｅｍｅｎｔあたりの送信電力（絶対値）であり、PTPC(min)はＴＰＣ  ｂｉｔの１  ｒｅｓｏｕｒｃｅ  ｅｌｅｍｅｎｔあたりの送信電力の最小値（絶対値）である。上記PＴＰＣ(max)、ＣＱＩaverage（min）、PＴＰＣ(min)は、外部インタフェース（ＩＦ）より設定される。【００８２】
また、ＴＰＣ  ｂｉｔの１  ＯＦＤＭシンボルあたりのｒｅｓｏｕｒｃｅ  ｅｌｅｍｅｎｔの数をｎTPCとし、当該サブフレームにおいて実際に送信されるＴＰＣ  ｂｉｔの数をKTPCとする。【００８３】
最終的なＴＰＣ  ｂｉｔの１  ｒｅｓｏｕｒｃｅ  ｅｌｅｍｅｎｔあたりの送信電力（絶対値、単位：W）PTPC（ｋ）は、以下の式（５）に基づいて算出される。【００８４】
PTPC（ｋ）＝PTPC,tmp(ｋ)/Ｍ      （５）
式（５）において、Ｍで割り算を行う理由は、式（１）の場合と同様である。
次に、ＤＬ送信電力決定部２０８４は、Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔの送信電力を決定する。【００８５】
物理下りリンク制御チャネルに用いられるOFDMシンボル数Ｍは、ＭＡＣ処理部２０８２における下りリンクのユーザデータ（トランスポートチャネルとしてはDL-SCH）及び上りリンクのユーザデータ（トランスポートチャネルとしてはUL-SCH）のスケジューリングにおいて「当該サブフレームにおいて共有チャネルを用いた通信を行うユーザ装置として選択されたユーザ装置」のシステム帯域幅全体に関するCQIに基づいて以下のように算出される。【００８６】
下りリンクのユーザデータ（トランスポートチャネルとしてはDL-SCH）に関する「当該サブフレームにおいて共有チャネルを用いた通信を行うユーザ装置として選択されたユーザ装置」の数をK_DLとし、各ユーザ装置の番号をｋ＿ｄｌ（ｋ＿ｄｌ＝０，１，．．，Ｋ＿ＤＬ−１）で表記する。上りリンクのユーザデータ（トランスポートチャネルとしてはUL-SCH）に関する「当該サブフレームにおいて共有チャネルを用いた通信を行うユーザ装置として選択されたユーザ装置」の数をK_ULとし、各ユーザ装置の番号をｋ＿ｕｌ（ｋ＿ｕｌ＝０，１，．．，Ｋ＿ＵＬ−１）で表記する。【００８７】
ユーザ装置＃ｋ＿ｄｌのＤｏｗｎｌｉｎｋ  Ｓｃｈｅｄｕｌｉｎｇ  Ｉｎｆｏｒｍａｔｉｏｎに関する制御チャネル用ブロックの数をＮｋ＿ｄｌとし、ユーザ装置＃ｋ＿ｕｌのＵｐｌｉｎｋ  Ｓｃｈｅｄｕｌｉｎｇ  Ｇｒａｎｔに関する制御チャネル用ブロックの数をＮｋ＿Ｕｌとする。ここで、制御チャネル用ブロックとは、複数のｒｅｓｏｕｒｃｅ  ｅｌｅｍｅｎｔの集合体であり、Ｄｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔに割り当てられるリソースの単位である。上記制御チャネル用ブロックは、Ｃｏｎｔｒｏｌ  Ｃｈａｎｎｅｌ  Ｅｌｅｍｅｎｔ（ＣＣＥ）と呼ばれてもよい。あるいは、前記ＣＣＥをさらに細かい集合に分割した、Ｍｉｎｉ  ＣＣＥを、前記制御チャネル用ブロックと定義してもよい。例えば、前記Ｍｉｎｉ  ＣＣＥは、４個のリソースエレメントで構成されてもよい。【００８８】
尚、Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔには、Ａｄａｐｔｉｖｅ  Ｍｏｄｕｌａｔｉｏｎ  ａｎｄ  Ｃｏｄｉｎｇ（ＡＭＣ）が適用されてもよい。例えば、Ｄｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔに関して、２個のＭｏｄｕｌａｔｉｏｎ  ａｎｄ  Ｃｏｄｉｎｇ  Ｓｃｈｅｍｅ（ＭＣＳ）を設定し、１つ目のＭＣＳ（以下、ＭＣＳ番号０と呼ぶ）には、１個の制御チャネル用ブロックが割り当てられ、２つ目のＭＣＳ（以下、ＭＣＳ番号１と呼ぶ）には、２個の制御チャネル用ブロックが割り当てられる、といった制御を行うことができる。尚、上述したＭＣＳの数は２に限る必要はなく、３以上の数であってもよい。
制御チャネル用ブロックについて、図６及び図７を参照して説明する。【００８９】
図６に示すように、Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔに割り当てられるサブキャリア(Sub-carrier)を、先頭のＯＦＤＭシンボルの、周波数の小さいSub-carrierから1列に並べる（結果としてNsub(all)個のSub-carrierが並ぶ）。すなわち、周波数方向（サブキャリア）と時間方向（ＯＦＤＭシンボル、ｍ＝０、１、２）からなる２次元のｒｅｓｏｕｒｃｅ  ｅｌｅｍｅｎｔを、１次元に並べる。そして、4個のサブキャリア（Sub-carrier）の集合を1個のＤＬ  Ｌ１／Ｌ２  ｓｙｍｂｏｌと定義し、かつ、NL1L2RB/4個のＤＬ  Ｌ１／Ｌ２  ｓｙｍｂｏｌの集合をGL1L2と定義する。この時、ＮＧ個のGL1L2が存在するとする。以下の説明では、NL1L2RB＝１２とし、ＮＧ＝２８とする。【００９０】
次に、図７に示すように、１  ＤＬ  Ｌ１／Ｌ２  ｓｙｍｂｏｌを拡散率4のWalsh系列で拡散を行い、１  ＤＬ  Ｌ１／Ｌ２  ｓｙｍｂｏｌ内の１  コードリソース（ｃｏｄｅ  ｒｅｓｏｕｒｃｅ）が１制御チャネル用ブロックに割り当てられる。各GL1L2において、上記と同様にリソースが割り当てられるため、１制御チャネル用ブロックは、28個のｒｅｓｏｕｒｃｅ  ｅｌｅｍｅｎｔ相当のリソースが割り当てられる。各制御チャネル用ブロックの番号は、図７に示すように、まず周波数方向に昇順に割り当てられ、その後、コード方向に昇順に割り当てられる。【００９１】
ここで、例えば、MCS番号0（１つ目のＭＣＳ）を用いた場合は、1つの制御チャネル用ブロックを使用し、MCS番号1（２つ目のＭＣＳ）を用いた場合は、2つの制御チャネル用ブロックを使用する。MCSはユーザ装置毎に設定される。MCS番号は、ＲＲＣメッセージ（ＲＲＣ  ｍｅｓｓａｇｅ）より設定される。ＱＰＳＫ変調を適用する場合、１個のｒｅｓｏｕｒｃｅ  ｅｌｅｍｅｎｔに対して、２ビットがマッピングされるため、ＭＣＳ番号０の場合の符号化ビット数は５６（２８×２[Ｂｉｔｓ／Ｒｅｓｏｕｒｃｅ  ｅｌｅｍｅｎｔ]＝５６ビット）、ＭＣＳ番号１の場合の符号化ビット数は１１２（２８×２[制御チャネル用ブロック]×２[Ｂｉｔｓ／Ｒｅｓｏｕｒｃｅ  ｅｌｅｍｅｎｔ]＝１１２ビット）となる。【００９２】
尚、上述した制御チャネル用ブロックの定義においては、Ｄｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔは、コード多重と周波数多重とをハイブリッドした多重方法により、物理下りリンク制御チャネルに多重されている。しかしながら、以下に示す送信電力制御方法は、Ｄｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔが、周波数多重により物理下りリンク制御チャネルに多重されている場合にも適用される。また、以下に示す送信電力制御方法は、Ｄｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔが、コード多重により物理下りリンク制御チャネルに多重されている場合にも適用される。【００９３】
あるいは、制御チャネル用ブロックが、上記以外のリソースの組み合わせで定義されている場合にも、本発明に関わる制御方法を適用することが可能である。【００９４】
ユーザ装置＃ｋ＿ｄｌのＤｏｗｎｌｉｎｋ  Ｓｃｈｅｄｕｌｉｎｇ  Ｉｎｆｏｒｍａｔｉｏｎに関する送信電力をPDL-L1L2,tmp(k_dl)とし、また、i番目のMCSを用いたときのＤｏｗｎｌｉｎｋ  Ｓｃｈｅｄｕｌｉｎｇ  Ｉｎｆｏｒｍａｔｉｏｎの１ユーザ装置あたりのｒｅｓｏｕｒｃｅ  ｅｌｅｍｅｎｔの数をnDL-L1L2,tmp(i)とする。ユーザ装置  ＃ｋ＿ｕｌのＵＬ  Ｓｃｈｅｄｕｌｉｎｇ  Ｇｒａｎｔに関する送信電力をPUL-L1L2,tmp(k_ul)とし、また、i番目のMCSを用いたときのＵＬ  Ｓｃｈｅｄｕｌｉｎｇ  Ｇｒａｎｔの１ユーザ装置あたりのｒｅｓｏｕｒｃｅ  ｅｌｅｍｅｎｔの数をnUL-L1L2,tmp(i)とする。【００９５】
以下の判定式により、Ｍを決定する。
（判定式の開始）
まず、以下の式（６）により、Ｎａｌｌを算出する。式（６）により、当該サブフレームにおいて送信される、各Ｄｏｗｎｌｉｎｋ  Ｓｃｈｅｄｕｌｉｎｇ  Ｉｎｆｏｒｍａｔｉｏｎが使用するｒｅｓｏｕｒｃｅ  ｅｌｅｍｅｎｔの数の和と、各Ｕｐｌｉｎｋ  Ｓｃｈｅｄｕｌｉｎｇ  Ｇｒａｎｔが使用するｒｅｓｏｕｒｃｅ  ｅｌｅｍｅｎｔの数の和の合計値が算出される。【００９６】
【数３】
2008105316.tif 000008
次に、当該サブフレームにおいて、各Ｄｏｗｎｌｉｎｋ  Ｓｃｈｅｄｕｌｉｎｇ  Ｉｎｆｏｒｍａｔｉｏｎの送信電力、すなわち、ユーザ装置＃ｋ＿ｄｌのＤｏｗｎｌｉｎｋ  Ｓｃｈｅｄｕｌｉｎｇ  Ｉｎｆｏｒｍａｔｉｏｎに関する送信電力PDL-L1L2,tmp(k_dl)
を算出する。【００９７】
k_dlがＲＡＣＨ  ｒｅｓｐｏｎｓｅである場合、すなわち、Ｄｏｗｎｌｉｎｋ  Ｓｃｈｅｄｕｌｉｎｇ  Ｉｎｆｏｒｍａｔｉｏｎに含まれるユーザ装置のＩＤがＲＡＣＨ  ｐｒｅａｍｂｌｅのRA-RNTIである場合、PDL-L1L2,tmp(k_dl)＝PL1L2,RACHresとなる。PL1L2,RACHresは、外部インタフェース（ＩＦ）より設定される固定値である。【００９８】
k_dlがＲＡＣＨ  ｒｅｓｐｏｎｓｅでなく、さらに、k_dlがPCHである場合、すなわち、Ｄｏｗｎｌｉｎｋ  Ｓｃｈｅｄｕｌｉｎｇ  Ｉｎｆｏｒｍａｔｉｏｎに含まれるユーザ装置のＩＤがページングインジケータ（Ｐａｇｉｎｇ  ｉｎｄｉｃａｔｏｒ）で指定されるユーザ装置のＧｒｏｕｐのＩＤである場合、PDL-L1L2,tmp(k_dl)＝PL1L2,PICHとなる。PL1L2,PICHは、外部インタフェース（ＩＦ）より設定される固定値である。【００９９】
尚、上述した共通チャネルであるＰＣＨ、ＲＡＣＨ  ｒｅｓｐｏｎｓｅに加えて、Ｄｙｎａｍｉｃ  ＢＣＨ（Ｄ−ＢＣＨ）が送信されてもよい。すなわち、k_dlで指定されるＩＤがＤ−ＢＣＨである場合、PDL-L1L2,tmp(k_dl)＝PL1L2,Ｄ−ＢCHとなる。PL1L2,Ｄ−ＢCHは、外部インタフェース（ＩＦ）より設定される固定値である。【０１００】
k_dlがＲＡＣＨ  ｒｅｓｐｏｎｓｅでなく、さらにk_dlがPCHでない場合、式（７）となる。すなわち、ユーザ装置＃ｋ＿ｄｌのＤｏｗｎｌｉｎｋ  Ｓｃｈｅｄｕｌｉｎｇ  Ｉｎｆｏｒｍａｔｉｏｎに関する送信電力PDL-L1L2,tmp(k_dl)
は、当該Ｄｏｗｎｌｉｎｋ  Ｓｃｈｅｄｕｌｉｎｇ  Ｉｎｆｏｒｍａｔｉｏｎの送信先であるユーザ装置＃ｋ＿ｄｌから報告される、下りリンクのシステム帯域幅に関するＣＱＩ値ＣＱＩaverage,ＤＬ（ｋ＿ｄｌ）に基づいて算出される。尚、上記下りリンクのシステム帯域全体に関するCQI値ＣＱＩaverage,ＤL（ｋ＿ｄｌ）は、レイヤー１処理部２０８１より通知されるＣＱＩの情報に含まれる値である。【０１０１】
【数４】
2008105316.tif 000009
式（７）において、【０１０２】
【数５】
2008105316.tif 000010
はCQIが所定の値ＣＱＩaverage（min）のときのＤｏｗｎｌｉｎｋ  Ｓｃｈｅｄｕｌｉｎｇ  Ｉｎｆｏｒｍａｔｉｏｎの１  ｒｅｓｏｕｒｃｅ  ｅｌｅｍｅｎｔあたりの送信電力（絶対値）であり、PＤＬ−Ｌ１Ｌ２(min)はＤｏｗｎｌｉｎｋ  Ｓｃｈｅｄｕｌｉｎｇ  Ｉｎｆｏｒｍａｔｉｏｎの１  ｒｅｓｏｕｒｃｅ  ｅｌｅｍｅｎｔあたりの送信電力の最小値（絶対値）である。また、Δｋ＿ｄｌ（ＤＬ）は固定のオフセット値である。上記（Ａ）、ＣＱＩaverage（min）、PＤＬ−Ｌ１Ｌ２(min) 、Δｋ＿ｄｌ（ＤＬ）は、外部インタフェース（ＩＦ）より設定される。また、（Ａ）の上付き添え字内のＭＣＳＤＬ−Ｌ１Ｌ２（ｋ＿ｄｌ）は、ユーザ装置＃ｋ＿ｄｌに送信するＤＬ  Ｓｃｈｅｄｕｌｉｎｇ  ＩｎｆｏｒｍａｔｉｏｎのＭＣＳの番号を示すインデックスである。すなわち、各ＭＣＳに対して、（Ａ）が定義されることにより、各ＭＣＳに対して、適切な送信電力制御が可能となる。【０１０３】
尚、式（７）において、送信電力が最小値PＤＬ−Ｌ１Ｌ２(min)以下とならないように制御されているが、さらに、送信電力が最大値以上とならないように制御されていてもよい。【０１０４】
また、当該サブフレームにおいて、各Ｕｐｌｉｎｋ  Ｓｃｈｅｄｕｌｉｎｇ  Ｇｒａｎｔの送信電力、すなわち、ユーザ装置＃ｋ＿ｕｌのＵｐｌｉｎｋ  Ｓｃｈｅｄｕｌｉｎｇ  Ｇｒａｎｔに関する送信電力PDL-L1L2,tmp(k_ｕl)
を算出する。【０１０５】
k_ｕlがランダムアクセス手順のＭｅｓｓａｇｅ３である場合、PUL-L1L2,tmp(k_ｕl)＝PL1L2,RACHmessage3となる。PL1L2,RACHmessage3は、外部インタフェース（ＩＦ）より設定される固定値である。
k_ulがランダムアクセス手順のＭｅｓｓａｇｅ３でない場合、式（８）となる。すなわち、ユーザ装置＃ｋ＿ｕｌのＵｐｌｉｎｋ  Ｓｃｈｅｄｕｌｉｎｇ  Ｇｒａｎｔに関する送信電力PUL-L1L2,tmp(k_ｕl)
は、当該Ｕｐｌｉｎｋ  Ｓｃｈｅｄｕｌｉｎｇ  Ｇｒａｎｔの送信先であるユーザ装置＃ｋ＿ｕｌから報告される、下りリンクのシステム帯域幅に関するＣＱＩ値ＣＱＩaverage,ＵＬ（ｋ＿ｕｌ）に基づいて算出される。尚、上記下りリンクのシステム帯域全体に関するCQI値ＣＱＩaverage,UL（ｋ＿ｕｌ）は、レイヤー１処理部２０８１より通知されるＣＱＩの情報に含まれる値である。【０１０６】
【数６】
2008105316.tif 000011
式（８）において、【０１０７】
【数７】
2008105316.tif 000012
はCQIが所定の値ＣＱＩaverage（min）のときのＵｐｌｉｎｋ  Ｓｃｈｅｄｕｌｉｎｇ  Ｇｒａｎｔの１  ｒｅｓｏｕｒｃｅ  ｅｌｅｍｅｎｔあたりの送信電力（絶対値）であり、PＵＬ−Ｌ１Ｌ２(min)はＵｐｌｉｎｋ  Ｓｃｈｅｄｕｌｉｎｇ  Ｇｒａｎｔの１  ｒｅｓｏｕｒｃｅ  ｅｌｅｍｅｎｔあたりの送信電力の最小値（絶対値）である。また、Δｋ＿ｕｌ（ＵＬ）は固定のオフセット値である。上記（Ｂ）、ＣＱＩaverage（min）、PＵＬ−Ｌ１Ｌ２(min) 、Δｋ＿ｕｌ（ＵＬ）は、外部インタフェース（ＩＦ）より設定される。また、（Ｂ）の上付き添え字内のＭＣＳＤＬ−Ｌ１Ｌ２（ｋ＿ｕｌ）は、ユーザ装置＃ｋ＿ｕｌに送信するＵＬ  Ｓｃｈｅｄｕｌｉｎｇ  ＧｒａｎｔのＭＣＳの番号を示すインデックスである。すなわち、各ＭＣＳに対して、（Ｂ）が定義されることにより、各ＭＣＳに対して、適切な送信電力制御が可能となる。
尚、式（８）において、送信電力が最小値PＵＬ−Ｌ１Ｌ２(min)以下とならないように制御されているが、さらに、送信電力が最大値以上とならないように制御されていてもよい。【０１０８】
そして、次に、以下の式（９）を計算する。式（６）により、当該サブフレームにおいて送信される、各Ｄｏｗｎｌｉｎｋ  Ｓｃｈｅｄｕｌｉｎｇ  Ｉｎｆｏｒｍａｔｉｏｎが使用する送信電力の和と、各Ｕｐｌｉｎｋ  Ｓｃｈｅｄｕｌｉｎｇ  Ｇｒａｎｔが使用する送信電力の数の和の合計値が算出される。【０１０９】
【数８】
2008105316.tif 000013
ところで、上記Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔには、基地局装置２００が送信可能な最大の送信電力リソースの内、物理下りリンク制御チャネルの他の情報が使用する送信電力リソース以外の余りの送信電力リソースが割り当てられる。すなわち、物理下りリンク制御チャネルに用いられるOFDMシンボル数Ｍが１であると仮定した場合の、Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔに割り当て可能な送信電力ＰＤＬ／ＵＬ−Ｌ１Ｌ２（１）は、式（１０）により算出される：【０１１０】
【数９】
2008105316.tif 000014
また、物理下りリンク制御チャネルに用いられるOFDMシンボル数Ｍが２であると仮定した場合の、Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔに割り当て可能な送信電力ＰＤＬ／ＵＬ−Ｌ１Ｌ２（２）は、式（１１）により算出される：【０１１１】
【数１０】
2008105316.tif 000015
そして、上記で求めたＮａｌｌ及びＰａｌｌに基づき、物理下りリンク制御チャネルに用いられるOFDMシンボル数Ｍの値が決定される
PallがPDL/UL-L1L2(1)未満であり、かつNａｌｌがＮｔｈ１（ｊ）未満である場合、Ｍ＝１となる。【０１１２】
PallがPDL/UL-L1L2(l)以上又はNａｌｌがＮｔｈ１（ｊ）以上であり、PallがPDL/UL-L1L2(2)未満であり、かつNａｌｌがＮｔｈ2（ｊ）未満である場合、Ｍ＝２となる。【０１１３】
上記以外には、Ｍ＝３となる。【０１１４】
Nth1(ｊ)、Nth2(ｊ)の値は、システム帯域幅毎に外部インタフェース（ＩＦ）より設定される固定値である(ｊは，システム帯域幅を示すindexであり、例えば、ｊ＝０（５ＭＨｚ）、ｊ＝１（１０ＭＨｚ）、ｊ＝２（２０ＭＨｚ）とする)。【０１１５】
以上をまとめると、当該サブフレームにおいて送信される各Ｄｏｗｎｌｉｎｋ  Ｓｃｈｅｄｕｌｉｎｇ  Ｉｎｆｏｒｍａｔｉｏｎが使用するｒｅｓｏｕｒｃｅ  ｅｌｅｍｅｎｔの数と送信電力と、当該サブフレームにおいて送信される各Ｕｐｌｉｎｋ  Ｓｃｈｅｄｕｌｉｎｇ  Ｇｒａｎｔが使用するｒｅｓｏｕｒｃｅ  ｅｌｅｍｅｎｔの数と送信電力とを算出し、上記ｒｅｓｏｕｒｃｅ  ｅｌｅｍｅｎｔの数と送信電力の総数に基づいて、物理下りリンク制御チャネルに用いられるOFDMシンボル数Ｍの値を決定する。【０１１６】
上述した例においては、当該サブフレームにおいて送信される各Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔが使用するｒｅｓｏｕｒｃｅ  ｅｌｅｍｅｎｔの数と送信電力とに基づいて、物理下りリンク制御チャネルに用いられるOFDMシンボル数Ｍの値を決定しているが、これは、本質的には、当該サブフレームにおいて送信される各Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔが使用する制御チャネル用ブロックの数と送信電力とに基づいて、物理下りリンク制御チャネルに用いられるOFDMシンボル数Ｍの値を決定することと同等である。すなわち、基地局装置２００は、当該サブフレームにおいて送信される各Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔが使用する制御チャネル用ブロックの数と送信電力とに基づいて、物理下りリンク制御チャネルに用いられるOFDMシンボル数Ｍの値を決定してもよい。【０１１７】
また、上述した例においては、当該サブフレームにおいて送信される各Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔが使用するｒｅｓｏｕｒｃｅ  ｅｌｅｍｅｎｔの数と送信電力とに基づいて、物理下りリンク制御チャネルに用いられるOFDMシンボル数Ｍの値を決定しているが、代わりに、当該サブフレームにおいて送信される各Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔが使用するｒｅｓｏｕｒｃｅ  ｅｌｅｍｅｎｔの数のみに基づいて、物理下りリンク制御チャネルに用いられるOFDMシンボル数Ｍの値を決定してもよいし、あるいは、当該サブフレームにおいて送信される各Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔが使用する送信電力のみに基づいて、物理下りリンク制御チャネルに用いられるOFDMシンボル数Ｍの値を決定してもよい。【０１１８】
あるいは、より一般的には、図８に示すフローチャートに基づいて、最適なＯＦＤＭシンボル数Ｍの値を決定してもよい。【０１１９】
ステップＳ８０２において、ＯＦＤＭシンボル数Ｍ＝１と仮定して、ＰＣＦＩＣＨ／ＰＨＩＣＨ／ＰＤＣＣＨの送信電力及びマッピングされるＣｏｎｔｒｏｌ  Ｃｈａｎｎｅｌ  Ｅｌｅｍｅｎｔ（ＣＣＥ）を決定する。尚、Ｃｏｎｔｒｏｌ  Ｃｈａｎｎｅｌ  Ｅｌｅｍｅｎｔとは、制御チャネルのためのリソースであり、複数のリソースエレメントから構成される。【０１２０】
尚、本処理において、例えば、ＰＣＦＩＣＨ／ＰＨＩＣＨ／ＰＤＣＣＨの送信電力やＣｏｎｔｒｏｌ  Ｃｈａｎｎｅｌ  Ｅｌｅｍｅｎｔの数は、上述した方法により算出されてもよい。例えば、ＰＣＦＩＣＨの送信電力やＣＣＥの数は、外部インタフェースより定義された値としてもよい。例えば、ＰＨＩＣＨの送信電力は、ＵＥから報告されるＷｉｄｅｂａｎｄのＣＱＩに基づいて算出されてもよい。例えば、ＰＤＣＣＨにマッピングされるＤＬ  Ｓｃｈｅｄｕｌｉｎｇ  ＩｎｆｏｒｍａｔｉｏｎやＵＬ  Ｓｃｈｅｄｕｌｉｎｇ  Ｇｒａｎｔの送信電力やＣＣＥの数は、それぞれ、式（９）や式（６）により算出されてもよい。【０１２１】
ステップＳ８０４において、送信電力リソースまたはＣＣＥリソースが不足するか否かを判定し、送信電力リソースまたはＣＣＥリソースが不足する場合に、（ステップＳ８０４：ＹＥＳ）、ステップＳ８０６に進む。ステップＳ８０６において、ＯＦＤＭシンボル数Ｍ＝２と仮定して、ＰＣＦＩＣＨ／ＰＨＩＣＨ／ＰＤＣＣＨの送信電力及びマッピングされるＣｏｎｔｒｏｌ  Ｃｈａｎｎｅｌ  Ｅｌｅｍｅｎｔ（ＣＣＥ）を決定する。【０１２２】
そして、ステップＳ８０８において、送信電力リソースまたはＣＣＥリソースが不足するか否かを判定し、送信電力リソースまたはＣＣＥリソースが不足する場合に、（ステップＳ８０８：ＹＥＳ）、ステップＳ８１０に進む。ステップＳ８１０において、ＯＦＤＭシンボル数の最適値を３とする。【０１２３】
一方、送信電力リソースまたはＣＣＥリソースが不足しない場合に、（ステップＳ８０８：ＮＯ）、ステップＳ８１２に進む。ステップＳ８１２において、ＯＦＤＭシンボル数の最適値を２とする。【０１２４】
一方、送信電力リソースまたはＣＣＥリソースが不足しない場合に、（ステップＳ８０４：ＮＯ）、ステップＳ８１４に進む。ステップＳ８１４において、ＯＦＤＭシンボル数の最適値を１とする。
（判定式の終了）
そして、最終的なユーザ装置#k_dlのＯＦＤＭシンボルｍにおける１  ｒｅｓｏｕｒｃｅ  ｅｌｅｍｅｎｔあたりの送信電力（絶対値、単位：W）PDL-L1L2,m(k_dl)、及びユーザ装置#k_ulのＯＦＤＭシンボルｍにおける１  ｒｅｓｏｕｒｃｅ  ｅｌｅｍｅｎｔあたりの送信電力（絶対値、単位：W）PUL-L1L2,m(k_ul)は以下のように算出される。【０１２５】
Ｍ＝１の場合について説明する。【０１２６】
以下のように、PDL-L1L2,m(k_dl)，PUL-L1L2,m(k_ul)を算出する。【０１２７】
PDL-L1L2,0(k_dl)＝PDL-L1L2,tmp(k_dl)
PUL-L1L2,0(k_ul)＝PUL-L1L2,tmp(k_ul)
Ｍ＝2の場合について説明する。【０１２８】
以下のように、PDL-L1L2,m(k_dl)，PUL-L1L2,m(k_ul)を算出する。【０１２９】
【数１１】
2008105316.tif 000016
ここで、【０１３０】
【数１２】
2008105316.tif 000017
は、ユーザ装置ｋ＿ｄｌの当該Ｄｏｗｎｌｉｎｋ  Ｓｃｈｅｄｕｌｉｎｇ  ＩｎｆｏｒｍａｔｉｏｎのＭＣＳがＭＣＳＤＬ−Ｌ１／Ｌ２（ｋ＿ｄｌ）である場合の、ｍ番目のＯＦＤＭシンボルにおける、当該Ｄｏｗｎｌｉｎｋ  Ｓｃｈｅｄｕｌｉｎｇ  Ｉｎｆｏｒｍａｔｉｏｎのｒｅｓｏｕｒｃｅ  ｅｌｅｍｅｎｔの数を示す。また、【０１３１】
【数１３】
2008105316.tif 000018
は、ユーザ装置ｋ＿ｕｌの当該Ｕｐｌｉｎｋ  Ｓｃｈｅｄｕｌｉｎｇ  ＧｒａｎｔのＭＣＳがＭＣＳＤＬ−Ｌ１／Ｌ２（ｋ＿ｕｌ）である場合の、ｍ番目のＯＦＤＭシンボルにおける、当該Ｕｐｌｉｎｋ  Ｓｃｈｅｄｕｌｉｎｇ  Ｇｒａｎｔのｒｅｓｏｕｒｃｅ  ｅｌｅｍｅｎｔの数を示す。すなわち、式（１２）及び式（１３）は、各ＯＦＤＭシンボルにおけるＤｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔのｒｅｓｏｕｒｃｅ  ｅｌｅｍｅｎｔの数に応じて、各ＯＦＤＭシンボルにおけるＤｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔの送信電力を決定することを意味する。【０１３２】
あるいは、Ｍの値に関係なく、PDL-L1L2,m(k_dl)，PUL-L1L2,m(k_ul)を
PDL-L1L2,ｍ(k_dl)＝PDL-L1L2,tmp(k_dl)
PUL-L1L2,ｍ(k_ul)＝PUL-L1L2,tmp(k_ul)
として算出してもよい。ｍは、ＯＦＤＭシンボルのインデックスである。この場合、Ｍの値に関係なく、また、どのＯＦＤＭシンボルにマッピングされているかに関係なく、当該ユーザ装置k_dlまたはk_ulに関するＤｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔの１リソースエレメントあたりの送信電力は一定となる。【０１３３】
なお、各ＯＦＤＭ  ｓｙｍｂｏｌにおいて、基地局装置２００の総送信電力が基地局装置２００の最大送信電力（定格電力）を超えた場合には、基地局装置２００の総送信電力が基地局装置２００の定格電力を超えないように、Ｄｏｗｎｌｉｎｋ  Ｓｃｈｅｄｕｌｉｎｇ  Ｉｎｆｏｒｍａｔｉｏｎ、Ｕｐｌｉｎｋ  Ｓｃｈｅｄｕｌｉｎｇ  Ｇｒａｎｔの送信電力PDL-L1L2,m(k_dl)，PUL-L1L2,m(k_ul)を圧縮してもよい。この場合、ＤＬ  ＲＳ，ダウンリンクＬ１／Ｌ２制御チャネルフォーマットインジケータ，Ｏｖｅｒｌｏａｄ  ｉｎｄｉｃａｔｏｒ，ＵＬ  ＡＣＫ／ＮＡＣＫ，ＴＰＣ  ｂｉｔの送信電力は圧縮しない。あるいは、Ｄｏｗｎｌｉｎｋ  Ｓｃｈｅｄｕｌｉｎｇ  Ｉｎｆｏｒｍａｔｉｏｎ、Ｕｐｌｉｎｋ  Ｓｃｈｅｄｕｌｉｎｇ  Ｇｒａｎｔだけでなく、全ての物理下りリンク制御チャネルにマッピングされる情報の送信電力を圧縮してもよい。この場合、ＤＬ  ＲＳの送信電力は圧縮しない。あるいは、Ｄｏｗｎｌｉｎｋ  Ｓｃｈｅｄｕｌｉｎｇ  Ｉｎｆｏｒｍａｔｉｏｎ、Ｕｐｌｉｎｋ  Ｓｃｈｅｄｕｌｉｎｇ  Ｇｒａｎｔだけでなく、ＤＬ  ＲＳと全ての物理下りリンク制御チャネルにマッピングされる情報の送信電力を圧縮してもよい。【０１３４】
また、上述したＤｏｗｎｌｉｎｋ  Ｓｃｈｅｄｕｌｉｎｇ  Ｉｎｆｏｒｍａｔｉｏｎ、Ｕｐｌｉｎｋ  Ｓｃｈｅｄｕｌｉｎｇ  Ｇｒａｎｔの送信電力の圧縮において、ＲＡＣＨ  ｒｅｓｐｏｎｓｅのためのＤｏｗｎｌｉｎｋ  Ｓｃｈｅｄｕｌｉｎｇ  ＩｎｆｏｒｍａｔｉｏｎやページングチャネルのためのＤｏｗｎｌｉｎｋ  Ｓｃｈｅｄｕｌｉｎｇ  Ｉｎｆｏｒｍａｔｉｏｎ、ランダムアクセス手順のＭｅｓｓａｇｅ３のためのＵｐｌｉｎｋ  Ｓｃｈｅｄｕｌｉｎｇ  Ｇｒａｎｔに関しては、上記圧縮を行わないとしてもよい。この場合、上記ＲＡＣＨ  ｒｅｓｐｏｎｓｅのためのＤｏｗｎｌｉｎｋ  Ｓｃｈｅｄｕｌｉｎｇ  ＩｎｆｏｒｍａｔｉｏｎやページングチャネルのためのＤｏｗｎｌｉｎｋ  Ｓｃｈｅｄｕｌｉｎｇ  Ｉｎｆｏｒｍａｔｉｏｎ、ランダムアクセス手順のＭｅｓｓａｇｅ３のためのＵｐｌｉｎｋ  Ｓｃｈｅｄｕｌｉｎｇ  Ｇｒａｎｔの通信品質は確保されることになる。【０１３５】
Ｍ＝３の場合について説明する。【０１３６】
以下の判定式により、ＭＡＣ処理部２０８２における下りリンクのユーザデータ及び上りリンクのユーザデータのスケジューリングにおいて「当該サブフレームにおいて共有チャネルを用いた通信を行うユーザ装置として選択されたユーザ装置」の数が適切か否かを判定する。【０１３７】
まず、Ｍ＝１（式１０）およびＭ＝２(式１１)の場合と同様に、物理下りリンク制御チャネルに用いられるOFDMシンボル数Ｍが３であると仮定した場合の、Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔに割り当て可能な送信電力ＰＤＬ／ＵＬ−Ｌ１Ｌ２（３）を算出する【０１３８】
【数１４】
2008105316.tif 000019
Pall>PDL/UL-L1L2(3)である場合、Pall≦PDL/UL-L1L2(3)となるまで、ＤＬ，ＵＬ，ＤＬ，ＵＬ，ＤＬ，・・・の順で，かつ，スケジューリング（Scheduling）係数に基づく優先度の低い順に、当該サブフレームにおいて共有チャネルを用いた通信を行うユーザ装置として選択されたユーザ装置に関して、当該サブフレームにおいて共有チャネルを用いた通信を行わないと決定する。すなわち、該ユーザ装置には、当該サブフレームにおいて、Ｄｏｗｎｌｉｎｋ  Ｓｃｈｅｄｕｌｉｎｇ  ＩｎｆｏｒｍａｔｉｏｎまたはＵｐｌｉｎｋ  Ｓｃｈｅｄｕｌｉｎｇ  Ｇｒａｎｔは送信されない。結果として、当該サブフレームにおいて、該ユーザ装置に対して、対応するＤＬ−ＳＣＨは送信されない。また、対応するサブフレームにおいて、該ユーザ装置は、ＵＬ−ＳＣＨを送信しない。そして、その後、残ったユーザ装置で、ＤＬ−ＳＣＨおよびＵＬ−ＳＣＨのリソース割り当てが行われる。ここでリソース割り当てとは、主に、周波数リソース、すなわち、リソースブロックの割り当てが行われる。尚、上記Ｐａｌｌは、式（９）により算出される値である。【０１３９】
ここで、上記スケジューリング係数とは、当該サブフレームにおいてＭＡＣ処理部２０８２におけるスケジューリング処理において計算される各ユーザ装置に対する優先度を示す係数、すなわち、評価メトリックのことを言う。例えば、スケジューリング係数は、送信するデータの優先度、ユーザ装置から報告される無線品質情報、再送回数、制御情報の有無、割り当て頻度、ユーザ装置に対する平均伝送速度、ユーザ装置に対する伝送速度の目標値、間欠受信処理を行うユーザ装置が間欠受信タイミングである場合に、該ユーザ装置に優先的に送信するための優先度等のうち、少なくとも１つにしたがって計算される。
また、ＤＬ送信電力決定部２０８４は、上述した、当該サブフレームにおいて共有チャネルを用いた通信を行うユーザ装置として選択されたユーザ装置に関して、当該サブフレームにおいて共有チャネルを用いた通信を行わないと決定する処理において、下りリンク及び上りリンクの再送データの優先度を高くするようにしてもよい。すなわち、再送データのためのＤｏｗｎｌｉｎｋ  Ｓｃｈｅｄｕｌｉｎｇ  Ｉｎｆｏｒｍａｔｉｏｎおよび再送データのためのＵｐｌｉｎｋ  Ｓｃｈｅｄｕｌｉｎｇ  Ｇｒａｎｔに対して、優先的に送信電力を割り当てることができる。また、ＤＬ送信電力決定部２０８４は、上述した、当該サブフレームにおいて共有チャネルを用いた通信を行うユーザ装置として選択されたユーザ装置に関して、当該サブフレームにおいて共有チャネルを用いた通信を行わないと決定する処理において、下りリンクにおけるランダムアクセス手順におけるメッセージ２又はページングチャネルのための優先度を高くするようにしてもよい。すなわち、ランダムアクセス手順におけるメッセージ２又はページングチャネルのためのＤｏｗｎｌｉｎｋ  Ｓｃｈｅｄｕｌｉｎｇ  Ｉｎｆｏｒｍａｔｉｏｎに対して、優先的に送信電力を割り当てることができる。尚、上述した、共通チャネルであるランダムアクセス手順におけるメッセージ２やページングチャネルに加えて、Ｄｙｎａｍｉｃ  ＢＣＨのための優先度を高くするようにしてもよい。【０１４０】
また、上述した例においては、当該サブフレームにおいて共有チャネルを用いた通信を行うユーザ装置として選択されたユーザ装置に関して、当該サブフレームにおいて共有チャネルを用いた通信を行わないと決定するという処理を行った後に、残ったユーザ装置で、ＤＬ−ＳＣＨおよびＵＬ−ＳＣＨのリソース割り当てが行われる場合を示した。しかしながら、代わりに、まず、当該サブフレームにおいて共有チャネルを用いた通信を行うユーザ装置として選択されたユーザ装置に関して、ＤＬ−ＳＣＨおよびＵＬ−ＳＣＨのリソース割り当てを行い、その後、当該サブフレームにおいて共有チャネルを用いた通信を行うユーザ装置として選択されたユーザ装置に関して、当該サブフレームにおいて共有チャネルを用いた通信を行わないと決定するという処理を行ってもよい。この場合、当該サブフレームにおいて共有チャネルを用いた通信を行わないと決定されたユーザ装置のためのＤＬ−ＳＣＨおよびＵＬ−ＳＣＨのリソースは使用されないが、代わりに、処理遅延を小さくできる。【０１４１】
さらには、上述した例においては、Ｍ＝３の場合に、Pall≦PDL/UL-L1L2(3)となるまで、当該サブフレームにおいて共有チャネルを用いた通信を行うユーザ装置として選択されたユーザ装置に関して、当該サブフレームにおいて共有チャネルを用いた通信を行わないと決定する場合を示したが、代わりに、Ｍ＝１およびＭ＝２と同様に、Pall>PDL/UL-L1L2(3)である場合に、Pall≦PDL/UL-L1L2(3)となるように、Ｄｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔの送信電力の圧縮を行ってもよい。【０１４２】
最後に、以下のように、PDL-L1L2,m(k_dl)，PUL-L1L2,m(k_ul)の算出が行われる。【０１４３】
【数１５】
2008105316.tif 000020
あるいは、上述したように、Ｍの値に関係なく、PDL-L1L2,m(k_dl)，PUL-L1L2,m(k_ul)を
PDL-L1L2,ｍ(k_dl)＝PDL-L1L2,tmp(k_dl)
PUL-L1L2,ｍ(k_ul)＝PUL-L1L2,tmp(k_ul)
として算出してもよい。ｍは、ＯＦＤＭシンボルのインデックスである。この場合、Ｍの値に関係なく、また、どのＯＦＤＭシンボルにマッピングされているかに関係なく、当該ユーザ装置k_dlまたはk_ulに関するＤｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔの１リソースエレメントあたりの送信電力は一定となる。【０１４４】
上述した実施例においては、物理下りリンク制御チャネルにおいて、ダウンリンクＬ１／Ｌ２制御チャネルフォーマットインジケータが送信される場合について説明したが、ダウンリンクＬ１／Ｌ２制御チャネルフォーマットインジケータが送信されない場合には、予め決定されるＭ＝１又は２または３の固定値として上述した制御が行われる。この場合、Ｍの値は、サブフレーム毎ではなく、より長い周期、例えば、１０ｍｓや１００ｍｓで制御される。この場合も、上述した（判定式の開始）から（判定式の終了）までの処理が適用される。但し、この場合は、送信電力の値やｒｅｓｏｕｒｃｅ  ｅｌｅｍｅｎｔの数として、瞬時の値、すなわち、サブフレーム毎の値ではなく、より長い周期、例えば、１０ｍｓや１００ｍｓで平均された値を用いてもよい。あるいは、送信電力の値やｒｅｓｏｕｒｃｅ  ｅｌｅｍｅｎｔの数として、その長い周期の中の最大値を用いてもよい。最大値を用いる場合、Ｍの値として、全てのSub-frameにおいてＤｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔが使用するｒｅｓｏｕｒｃｅ  ｅｌｅｍｅｎｔの数と送信電力が不足しないような値が設定されるため、より安定した制御チャネルの通信を実現することが可能となる。【０１４５】
あるいは、上記長い周期における各Sub-frameにおいて最適なOFDMシンボル数を算出し、前記最適なＯＦＤＭシンボル数の上記長い周期における平均値または最大値を、Ｍの値としてもよい。ここで、最適なＯＦＤＭシンボル数とは、当該Ｓｕｂ−ｆｒａｍｅにおいて、送信電力またはＲｅｓｏｕｒｃｅ  ｅｌｅｍｅｎｔの不足が生じないＭの値で、最も小さいＭの値である。【０１４６】
あるいは、物理下りリンク制御チャネルにおいて、サブフレーム毎に、すなわち、１ｍｓ毎に、ダウンリンクＬ１／Ｌ２制御チャネルフォーマットインジケータが送信される場合にも、より長い周期で、物理下りリンク制御チャネルに用いられるOFDMシンボル数Mを決定してもよい。例えば、１０ｍｓや１００ｍｓで、上述したＮａｌｌの平均値やPallの平均値を算出し、上記Ｎａｌｌの平均値やPallの平均値に基づいて、Mの値を決定してもよい。あるいは、上記１０ｍｓや１００ｍｓの区間における、Ｎａｌｌの最大値やPallの最大値に基づいて、Mの値を決定してもよい。この場合、全てのサブフレームにおいて、ダウンリンクＬ１／Ｌ２制御チャネルフォーマットインジケータが送信されるが、上述した１０ｍｓや１００ｍｓといった制御周期内では、Mの値は固定される。このように、より長周期でMの値を制御することにより、サブフレーム毎にMの算出を行う必要がなくなり、基地局装置の複雑性を低減することが可能となる。
本制御イメージを図９に示す。図９において、Ｎｕｍは、Ｍの数に相当する。また、Ｎｕｍの値は、周期的な制御タイミング（図中のＳｕｂ−ｆｒａｍｅ２とＳｕｂ−ｆｒａｍｅ３の境目及びＳｕｂ−ｆｒａｍｅ１２とＳｕｂ−ｆｒａｍｅ１３の境目）に変更される。制御周期iにおけるＭの値（Ｎｕｍｉの値）は、測定区間ｉ−１におけるＮａｌｌやPallの値に基づいて決定される。【０１４７】
あるいは、上記１０ｍｓや１００ｍｓといった長い周期の中で、基地局装置２００の総送信電力が基地局装置２００の最大送信電力（定格電力）を超えた回数に基づいて、Ｍの値を決定してもよい。例えば、１０ｍｓ周期で、物理下りリンク制御チャネルに用いられるOFDMシンボル数Mを制御する場合に、ある制御周期１０ｍｓにおいて、M=2で、かつ、上記１０ｍｓ内で、3回以上、基地局装置２００の総送信電力が基地局装置２００の最大送信電力（定格電力）を超えた場合には、Mの数を１つ大きくする、すなわち、M=3とするという制御を行ってもよい。逆に、基地局装置２００の総送信電力が基地局装置２００の最大送信電力（定格電力）を超えないという状態が１００ｍｓ以上継続した場合には、Mの数を１つ小さくする、という制御を行ってもよい。この場合、全てのサブフレームにおいて、ダウンリンクＬ１／Ｌ２制御チャネルフォーマットインジケータが送信されるが、上述した１０ｍｓや１００ｍｓといった制御周期内では、Mの値は固定される。このように、より長周期でMの値を制御することにより、サブフレーム毎にMの算出を行う必要がなくなり、基地局装置の複雑性を低減することが可能となる。【０１４８】
尚、長周期で制御が行われる場合にも、上述した、Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔのための送信電力リソースが不足した場合に、あるいは、Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔが使用するｒｅｓｏｕｒｃｅ  ｅｌｅｍｅｎｔの数が不足した場合に、上述した、送信電力の圧縮を行う処理や、当該サブフレームにおいて共有チャネルを用いた通信を行うユーザ装置として選択されたユーザ装置に関して、当該サブフレームにおいて共有チャネルを用いた通信を行わないと決定する処理を行ってもよい。【０１４９】
ところで、基地局装置２００の総送信電力が基地局装置２００の最大送信電力（定格電力）を超えた場合に、すなわち、Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔのための送信電力リソースが不足した場合に、あるいは、Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔが使用するｒｅｓｏｕｒｃｅ  ｅｌｅｍｅｎｔの数が不足した場合、上述した１０ｍｓや１００ｍｓといった長い制御周期ではなく、即座に、Ｍの数を変更してもよい。すなわち、基地局装置２００の総送信電力が基地局装置２００の最大送信電力（定格電力）を超えたという事象が発生した場合には、その次のサブフレーム、あるいは、できる限り早いタイミングのサブフレームにおいて、Ｍの数を大きくするという処理を行ってもよい。尚、上記resource elementの数は、代わりに、制御チャネルリソースエレメントの数であってもよい。【０１５０】
本制御イメージを図１０に示す。図１０において、Ｎｕｍは、Ｍの数に相当する。Ｎｕｍの値は、周期的な制御タイミング（図中のＳｕｂ−ｆｒａｍｅ２とＳｕｂ−ｆｒａｍｅ３の境目及びＳｕｂ−ｆｒａｍｅ１２とＳｕｂ−ｆｒａｍｅ１３の境目）に変更される。さらに、Ｓｕｂ−ｆｒａｍｅ４において、Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔのための送信電力リソースが不足したため、あるいは、Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔが使用するｒｅｓｏｕｒｃｅ  ｅｌｅｍｅｎｔの数が不足したため、Ｓｕｂ−ｆｒａｍｅ６とＳｕｂ−ｆｒａｍｅ７の境目で、Ｎｕｍの値が変更されている。例えば、ＯＦＤＭ  symbol数を１つインクリメントする。このように、周期的な制御に加えて、リソース不足が発生した場合に即座にＮｕｍの値（すなわち、Ｍの数）を変更することにより、より安定したＤｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔの通信品質を実現することが可能となる。【０１５１】
さらに、上述した１０ｍｓや１００ｍｓといった長い制御周期でＭの値を算出するといった制御を行う場合にも、基地局装置２００は、当該Ｓｕｂ−ｆｒａｍｅにおいて、共通チャネル、例えば、Ｄｙｎａｍｉｃ  ＢＣＨやＰａｇｉｎｇ  Ｃｈａｎｎｅｌ、ＲＡＣＨ  ｒｅｓｐｏｎｓｅのためのＤＬ  Ｓｃｈｅｄｕｌｉｎｇ  Ｉｎｆｏｒｍａｔｉｏｎが送信されるか否かに基づいて、Ｎｕｍの値（Ｍの値）を一時的に変更するという処理を行ってもよい。すなわち、上記周期的な変更タイミングとは、別の変更タイミングにおいて、Ｍの値を変更してもよい。
本制御イメージを図１１に示す。図１１において、Ｎｕｍは、Ｍの数に相当する。Ｎｕｍの値は、周期的な制御タイミング（図中のＳｕｂ−ｆｒａｍｅ２とＳｕｂ−ｆｒａｍｅ３の境目及びＳｕｂ−ｆｒａｍｅ１２とＳｕｂ−ｆｒａｍｅ１３の境目）に変更される。さらに、Ｓｕｂ−ｆｒａｍｅ５において、共通チャネルが送信されるため、一時的に、Ｎｕｍの値が、Ｎｕｍｉから、Ｎｕｍｉ＋Ｙに変更される。共通チャネルのためのＤＬ  Ｓｃｈｅｄｕｌｉｎｇ  Ｉｎｆｏｒｍａｔｉｏｎは、セル端の移動局が誤りなく受信できるように、より多くのリソースを使用する。ここで、リソースは、送信電力やｒｅｓｏｕｒｃｅ  ｅｌｅｍｅｎｔの数に相当する。すなわち、共通チャネルが送信されるＳｕｂ−ｆｒａｍｅにおいて、リソース不足が発生する可能性が高い。よって、上述したように、周期的な制御に加えて、共通チャネルの送信に応じて、一時的にＮｕｍの値（すなわち、Ｍの数）を変更することにより、より安定したＤｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔの通信品質を実現することが可能となる。尚、共通チャネルの送信タイミングは、一般に既知であるため、上述した変更の処理は容易に行うことが可能である。
尚、Ｙの値は、当該Ｓｕｂ−ｆｒａｍｅにおいて送信される共通チャネルの種類やリソースの使用量、共通チャネルの数に基づいて決定されてもよい。
また、共通チャネルだけでなく、共通チャネル以外の所定のチャネルの送信の有無に基づいて、同様の処理が行われてもよい。【０１５２】
あるいは、上記１０ｍｓや１００ｍｓといった長い周期の中で、物理下りリンク制御チャネルのシンボル数、すなわち、リソースエレメントの数、あるいは、制御チャネルリソースエレメントの数が不足した回数に基づいて、Mの値を決定してもよい。例えば、１０ｍｓ周期で、物理下りリンク制御チャネルに用いられるOFDMシンボル数Mを制御する場合に、ある制御周期１０ｍｓにおいて、M=2で、かつ、上記１０ｍｓ内で、3回以上、物理下りリンク制御チャネルのシンボル数、すなわち、リソースエレメントの数、あるいは、制御チャネルリソースエレメントの数が不足した場合には、Mの数を１つ大きくする、すなわち、M=3とするという制御を行ってもよい。逆に、物理下りリンク制御チャネルのシンボル数、すなわち、リソースエレメントの数、あるいは、制御チャネルリソースエレメントの数が不足しないという状態が１００ｍｓ以上継続した場合には、Mの数を１つ小さくする、という制御を行ってもよい。この場合、全てのサブフレームにおいて、ダウンリンクＬ１／Ｌ２制御チャネルフォーマットインジケータが送信されるが、上述した１０ｍｓや１００ｍｓといった制御周期内では、Mの値は固定される。このように、より長周期でMの値を制御することにより、サブフレーム毎にMの算出を行う必要がなくなり、基地局装置の複雑性を低減することが可能となる。  あるいは、セル５０内の移動局の数、より具体的には、RRC  connected状態にある移動局の数、RRC  connected状態にあり、かつ、DRX状態にない移動局の数、下りリンクの送信バッファ内に送信すべきデータが存在する移動局の数に基づいて、物理下りリンク制御チャネルに用いられるOFDMシンボル数Mを決定してもよい。【０１５３】
あるいは、上述した例のように、サブフレーム毎に、Mの値を算出するが、当該サブフレームにおいて、上記算出したMの値を使用するのではなく、数サブフレーム後のサブフレームにおいて、上記Mの値を使用するといった制御を行ってもよい。例えば、2サブフレーム後のサブフレームにおいて算出したMの値を使用する場合、サブフレーム番号４で算出されたMの値は、サブフレーム番号６で使用される。この場合、Mの算出に要する時間を大きくすることができるため、基地局装置の複雑性を低減することが可能となる。【０１５４】
尚、上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例を記載したが、本発明に係る基地局装置及び通信制御方法は、下りリンクにおいて直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いる全てのシステムにおいて適用することが可能である。【０１５５】
説明の便宜上、発明の理解を促すため具体的な数値例を用いて説明されるが、特に断りのない限り、それらの数値は単なる一例に過ぎず適切な如何なる値が使用されてよい。【０１５６】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。【０１５７】
本国際出願は、２００７年２月２８日に出願した日本国特許出願２００７−０５０８３５号及び２００７年６月１９日に出願した日本国特許出願２００７−１６１９３９号に基づく優先権を主張するものであり、２００７−０５０８３５号及び２００７−１６１９３９号の全内容を本国際出願に援用する。
【図１】
2008105316.tif 000021
【図２】
2008105316.tif 000022
【図３】
2008105316.tif 000023
【図４】
2008105316.tif 000024
【図５】
2008105316.tif 000025
【図６】
2008105316.tif 000026
【図７】
2008105316.tif 000027
【図８】
2008105316.tif 000028
【図９】
2008105316.tif 000029
【図１０】
2008105316.tif 000030
【図１１】
2008105316.tif 000031
【国際調査報告】
2008105316.tif 000032
2008105316.tif 000033
2008105316.tif 000034
2008105316.tif 000035